(57)【要約】  無線充電システム、装置、方法及び充電対象機器である。当該無線充電システム２００は、無線充電装置２２０と、充電対象機器２３０と、を含み、無線充電装置は、充電対象機器を無線充電するように、電磁信号を送信する無線送信回路２２１と、無線充電のプロセスにおいて、充電対象機器と無線通信する第１の通信制御回路２２２と、を含み、充電対象機器は、電池２３２と、電磁信号を受信し、電磁信号を無線受信回路の出力電圧及び出力電流に変換する無線受信回路２３１と、無線受信回路の出力電圧及び出力電流を受信し、無線受信回路の出力電圧及び出力電流に基づいて、電池を充電する第１の充電経路２３３と、無線受信回路の出力電圧及び/又は出力電流を検出する検出回路２３４と、無線送信回路の送信電力が第１の通信制御回路により調整されて、無線受信回路の出力電圧及び/又は出力電流が電池の現在の充電段階にマッチングされるように、検出回路により検出された無線受信回路の出力電圧及び/又は出力電流に基づいて、第１の通信制御回路と無線通信する第２の通信制御回路２３５と、を含む。当該無線充電システム、装置、方法及び充電対象機器は、無線充電プロセスを改善することができる。
2019531685.tif 000002
【特許請求の範囲】
【請求項１】
無線充電装置と、充電対象機器とを含む無線充電システムであって、
前記無線充電装置は、
前記充電対象機器を無線充電するように、電磁信号を送信する無線送信回路と、
前記無線充電のプロセスにおいて、前記充電対象機器と無線通信する第１の通信制御回路と、を含み、
前記充電対象機器は、
電池と、
前記電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、
前記無線送信回路の送信電力が前記第１の通信制御回路により調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記第１の通信制御回路と無線通信する第２の通信制御回路と、を含む、
ことを特徴とする無線充電システム。
【請求項２】
前記無線充電装置は、
充電インターフェースをさらに含み、
前記無線送信回路は、さらに、前記充電インターフェースを介して電源供給機器の出力電圧及び出力電流を受信し、前記電源供給機器の出力電圧及び出力電流に基づいて、前記電磁信号を生成する、
ことを特徴とする請求項１に記載の無線充電システム。
【請求項３】
前記電源供給機器の出力電力をネゴシエーションするように、前記第１の通信制御回路は、さらに、前記電源供給機器と通信する、
ことを特徴とする請求項２に記載の無線充電システム。
【請求項４】
前記電源供給機器の出力電力をネゴシエーションするように、前記第１の通信制御回路が、前記電源供給機器と通信することは、
前記電源供給機器の最大出力電力をネゴシエーションするように、前記第１の通信制御回路が、前記電源供給機器と通信することを含み、
前記無線送信回路の送信電力が前記第１の通信制御回路により調整されることは、
前記無線送信回路が、前記電源供給機器の最大出力電力に基づいて、前記充電対象機器を無線充電するプロセスにおいて、前記無線送信回路の送信電力を調整するように、前記第１の通信制御回路が、前記無線送信回路が前記最大出力電力から抽出する電力量を調整することを含む、  
ことを特徴とする請求項３に記載の無線充電システム。
【請求項５】
前記無線送信回路の送信電力が前記第１の通信制御回路により調整されることは、
前記電源供給機器の出力電圧及び/又は出力電流を調整することにより、前記無線送信回路の送信電力を調整するように、前記第１の通信制御回路が、前記電源供給機器と通信することを含む、
ことを特徴とする請求項３に記載の無線充電システム。
【請求項６】
前記第１の通信制御回路が前記無線送信回路の送信電力を調整するように、前記第２の通信制御回路が、前記検出回路により検出された前記無線受信回路の出力電圧及び/又は出力電流に基づいて、前記第１の通信制御回路と無線通信することは、
前記第２の通信制御回路が、前記第１の通信制御回路に、前記電源供給機器の出力電圧及び/又は出力電流を調整するように前記第１の通信制御回路に指示するための調整情報を送信することを含む、
ことを特徴とする請求項５に記載の無線充電システム。
【請求項７】
前記第１の通信制御回路と前記電源供給機器との間の通信が双方向通信である、
ことを特徴とする請求項３〜６のいずれかに記載の無線充電システム。
【請求項８】
前記充電インターフェースは、ユニバーサル・シリアル・バスＵＳＢインターフェース又はｌｉｇｈｔｎｉｎｇインターフェースである、
ことを特徴とする請求項２〜７のいずれかに記載の無線充電システム。
【請求項９】
前記充電インターフェースがＵＳＢインターフェースであり、前記第１の通信制御回路は、前記電源供給機器と、前記ＵＳＢインターフェースにおけるデータ線により通信する、
ことを特徴とする請求項８に記載の無線充電システム。
【請求項１０】
前記充電インターフェースは、電力伝送ＰＤ通信プロトコルをサポートするＵＳＢインターフェースであり、前記第１の通信制御回路は、前記電源供給機器と、前記ＰＤ通信プロトコルにより通信する、
ことを特徴とする請求項８に記載の無線充電システム。
【請求項１１】
前記電源供給機器の出力電流は、一定直流、脈動直流又は交流である、
ことを特徴とする請求項２〜１０のいずれかに記載の無線充電システム。
【請求項１２】
前記電源供給機器は、アダプター、モバイルバッテリー又はコンピュータである、
ことを特徴とする請求項２〜１１のいずれかに記載の無線充電システム。
【請求項１３】
前記無線充電システムは、前記電源供給機器をさらに含む、
ことを特徴とする請求項２〜１２のいずれかに記載の無線充電システム。
【請求項１４】
前記電池の現在の充電段階は、トリクル充電段階と、定電圧充電段階と、定電流充電段階とのうち、少なくとも一つを含む、
ことを特徴とする請求項１〜１３のいずれかに記載の無線充電システム。
【請求項１５】
前記第１の通信制御回路が、前記無線受信回路の出力電圧及び/又は出力電流に基づいて、前記無線送信回路の送信電力を調整するように、前記第２の通信制御回路が、前記検出回路により検出された前記無線受信回路の出力電圧及び/又は出力電流に基づいて、前記第１の通信制御回路と無線通信することは、
前記電池の定電圧充電段階において、前記無線送信回路の送信電力が前記第１の通信制御回路により調整されて、前記無線受信回路の出力電圧が前記定電圧充電段階に対応する充電電圧にマッチングされるように、前記第２の通信制御回路が、前記検出回路により検出された前記無線受信回路の出力電圧及び/又は出力電流に基づいて、前記第１の通信制御回路と無線通信することを含む、
ことを特徴とする請求項１４に記載の無線充電システム。
【請求項１６】
前記第１の通信制御回路が、前記無線受信回路の出力電圧及び/又は出力電流に基づいて、前記無線送信回路の送信電力を調整するように、前記第２の通信制御回路が、前記検出回路により検出された前記無線受信回路の出力電圧及び/又は出力電流に基づいて、前記第１の通信制御回路と無線通信することは、
前記無線送信回路の送信電力が前記第１の通信制御回路により調整されて、前記無線受信回路の出力電流が前記定電流充電段階に対応する充電電流にマッチングされるように、前記電池の定電流充電段階において、前記第２の通信制御回路が、前記検出回路により検出された前記無線受信回路の出力電圧及び/又は出力電流に基づいて、前記第１の通信制御回路と無線通信することを含む、
ことを特徴とする請求項１４又は１５に記載の無線充電システム。
【請求項１７】
前記無線送信回路は、さらに、外部から入力される交流を受信し、前記交流に基づいて前記電磁信号を生成する、
ことを特徴とする請求項１に記載の無線充電システム。
【請求項１８】
前記交流は、２２０Ｖの交流である、
ことを特徴とする請求項１７に記載の無線充電システム。
【請求項１９】
前記第１の通信制御回路が、電池状態情報に基づいて、前記無線送信回路の送信電力を調整するように、前記第２の通信制御回路は、さらに、前記第１の通信制御回路に、前記充電対象機器における電池の現在の電気量及び/又は現在の電圧を含む前記電池状態情報を送信する、
ことを特徴とする請求項１〜１８のいずれかに記載の無線充電システム。
【請求項２０】
前記第２の通信制御回路と前記第１の通信制御回路との間の無線通信は、無線双方向通信である、
ことを特徴とする請求項１〜１９のいずれかに記載の無線充電システム。
【請求項２１】
前記第１の通信制御回路と前記第２の通信制御回路とは、ブルートゥース、Ｗｉ-Ｆｉ又は後方散乱変調方式により無線通信する、
ことを特徴とする請求項１〜２０のいずれかに記載の無線充電システム。
【請求項２２】
前記第１の通信制御回路と前記第２の通信制御回路との間の通信情報は、
前記電池の温度情報と、
前記無線受信回路の出力電圧及び/又は出力電流のピーク値又は平均値を示す情報と、
過電圧保護又は過電流保護に入る指示情報と、
前記無線送信回路と前記無線受信回路との間の電力伝送効率を示すための電力伝送効率情報とのうち、少なくとも一種を含む、
ことを特徴とする請求項１〜２１のいずれかに記載の無線充電システム。
【請求項２３】
前記通信情報は、前記電力伝送効率情報を含み、前記第１の通信制御回路は、さらに、前記電力伝送効率情報に基づいて、前記無線送信回路の送信電力の調整幅を決定する、
ことを特徴とする請求項２２に記載の無線充電システム。
【請求項２４】
前記充電対象機器は、
前記無線受信回路の出力電流を受信して、前記無線受信回路の出力電流を変換し、変換された電流に基づいて、前記電池を充電する変換回路が設置される第２の充電経路をさらに含み、
前記第２の通信制御回路は、さらに、前記第１の充電経路と前記第２の充電経路との間の切り替えを制御する、
ことを特徴とする請求項１〜２３のいずれかに記載の無線充電システム。
【請求項２５】
前記第２の通信制御回路は、さらに、前記第１の通信制御回路とハンドシェイク通信を行い、前記ハンドシェイク通信が成功された場合、作動するように前記第１の充電経路を制御し、前記ハンドシェイク通信が失敗された場合、作動するように前記第２の充電経路を制御する、
ことを特徴とする請求項２４に記載の無線充電システム。
【請求項２６】
前記第２の通信制御回路は、さらに、前記電池の温度に基づいて、前記第１の充電経路と前記第２の充電経路との間の切り替えを制御する、
ことを特徴とする請求項２４又は２５に記載の無線充電システム。
【請求項２７】
前記無線受信回路の出力電流は、一定直流、脈動直流又は交流である、
ことを特徴とする請求項１〜２６のいずれかに記載の無線充電システム。
【請求項２８】
前記無線受信回路の出力電流が、脈動直流であり、
前記検出回路は、
サンプリング状態にある場合、前記脈動直流をサンプリングし、保持状態にある場合、前記脈動直流の電流のピーク値を保持するサンプリング保持回路を含み、
前記第２の通信制御回路は、さらに、前記サンプリング保持回路が保持状態にあるか否かを判断し、前記サンプリング保持回路が前記保持状態にあると判断された場合、前記サンプリング保持回路が保持している前記脈動直流の電流のピーク値を収集する、
ことを特徴とする請求項２７に記載の無線充電システム。
【請求項２９】
前記第２の通信制御回路は、さらに、前記脈動直流の電流のピーク値を収集した後、前記サンプリング保持回路が保持状態からサンプリング状態へ変換されるように制御する、
ことを特徴とする請求項２８に記載の無線充電システム。
【請求項３０】
前記サンプリング保持回路は、コンデンサを含み、前記サンプリング保持回路は、前記サンプリング保持回路におけるコンデンサにより前記脈動直流の電流のピーク値を保持し、
前記検出回路は、放電回路をさらに含み、前記第２の通信制御回路は、さらに、前記サンプリング保持回路が保持状態からサンプリング状態へ変換されるように、前記放電回路により前記サンプリング保持回路におけるコンデンサ両端の電荷を放出する、
ことを特徴とする請求項２９に記載の無線充電システム。
【請求項３１】
前記無線充電装置が、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速い、
ことを特徴とする請求項１〜３０のいずれかに記載の無線充電システム。
【請求項３２】
前記第１の無線充電モード又は前記第２の無線充電モードで無線充電を行うことをネゴシエーションするように、前記第１の通信制御回路は、前記第２の通信制御回路と通信する、
ことを特徴とする請求項３１に記載の無線充電システム。
【請求項３３】
前記第１の無線充電モード又は前記第２の無線充電モードで無線充電を行うことをネゴシエーションするように、前記第１の通信制御回路は、前記第２の通信制御回路と通信することは、
前記第１の通信制御回路は、前記第２の通信制御回路とハンドシェイク通信を行い、前記ハンドシェイク通信が成功された場合、前記第１の無線充電モードで前記充電対象機器を充電するように前記無線充電装置を制御し、前記ハンドシェイク通信が失敗された場合、前記第２の無線充電モードで前記充電対象機器を充電するように前記無線充電装置を制御すること、を含む、
ことを特徴とする請求項３２に記載の無線充電システム。
【請求項３４】
前記第１の通信制御回路は、さらに、前記電池の温度に基づいて、前記第１の無線充電モード又は第２の無線充電モードで前記電池を充電するように前記無線充電装置を制御する、
ことを特徴とする請求項３１〜３３のいずれかに記載の無線充電システム。
【請求項３５】
前記無線充電装置は、無線充電ベースである、
ことを特徴とする請求項１〜３４のいずれかに記載の無線充電システム。
【請求項３６】
充電対象機器を無線充電するように、電磁信号を送信する無線送信回路と、
前記無線充電のプロセスにおいて、前記無線送信回路の送信電力が調整されて、前記充電対象機器における無線受信回路の出力電圧及び/又は出力電流が前記充電対象機器における電池の現在の充電段階にマッチングされるように、前記充電対象機器と無線通信する通信制御回路と、を含む、
ことを特徴とする無線充電装置。
【請求項３７】
前記無線充電装置は、
充電インターフェースをさらに含み、
前記無線送信回路は、さらに、前記充電インターフェースを介して電源供給機器の出力電圧及び出力電流を受信し、前記電源供給機器の出力電圧及び出力電流に基づいて、前記電磁信号を生成する、
ことを特徴とする請求項３６に記載の無線充電装置。
【請求項３８】
前記電源供給機器の出力電力をネゴシエーションするように、前記通信制御回路は、さらに、前記電源供給機器と通信する、
ことを特徴とする請求項３７に記載の無線充電装置。
【請求項３９】
前記電源供給機器の出力電力をネゴシエーションするように、前記通信制御回路が、さらに、前記電源供給機器と通信することは、
前記電源供給機器の最大出力電力をネゴシエーションするように、前記通信制御回路が、前記電源供給機器と通信することを含み、
前記無線送信回路の送信電力が前記通信制御回路により調整されることは、
前記無線送信回路が、前記電源供給機器の最大出力電力に基づいて、前記充電対象機器を無線充電するプロセスにおいて、前記無線送信回路の送信電力を調整するように、前記通信制御回路が、前記無線送信回路が前記最大出力電力から抽出する電力量を調整することを含む、
ことを特徴とする請求項３８に記載の無線充電装置。
【請求項４０】
前記無線送信回路の送信電力が前記通信制御回路により調整されることは、
前記電源供給機器の出力電圧及び/又は出力電流を調整することにより、前記無線送信回路の送信電力を調整するように、前記通信制御回路が、前記電源供給機器と通信することを含む、
ことを特徴とする請求項３８に記載の無線充電装置。
【請求項４１】
前記無線送信回路の送信電力を調整するように、前記通信制御回路が、前記無線充電のプロセスにおいて、前記充電対象機器と無線通信することは、
前記通信制御回路が、前記充電対象機器により送信される、前記通信制御回路に前記電源供給機器の出力電圧及び/又は出力電流を調整するように指示するための調整情報を受信する、
ことを特徴とする請求項４０に記載の無線充電装置。
【請求項４２】
前記通信制御回路と前記電源供給機器との間の通信が双方向通信である、
ことを特徴とする請求項３８〜４１のいずれかに記載の無線充電装置。
【請求項４３】
前記充電インターフェースは、ユニバーサル・シリアル・バスＵＳＢインターフェース又はｌｉｇｈｔｎｉｎｇインターフェースである、
ことを特徴とする請求項３７〜４２のいずれかに記載の無線充電装置。
【請求項４４】
前記充電インターフェースがＵＳＢインターフェースであり、前記通信制御回路は、前記電源供給機器と、前記ＵＳＢインターフェースにおけるデータ線により通信する、
ことを特徴とする請求項４３に記載の無線充電装置。
【請求項４５】
前記充電インターフェースは、電力伝送ＰＤ通信プロトコルをサポートするＵＳＢインターフェースであり、前記通信制御回路は、前記電源供給機器と、前記ＰＤ通信プロトコルにより通信する、
ことを特徴とする請求項４３に記載の無線充電装置。
【請求項４６】
前記電源供給機器の出力電流は、一定直流、脈動直流又は交流である、
ことを特徴とする請求項３７〜４５のいずれかに記載の無線充電装置。
【請求項４７】
前記電源供給機器は、アダプター、モバイルバッテリー又はコンピュータである、
ことを特徴とする請求項３７〜４６のいずれかに記載の無線充電装置。
【請求項４８】
前記電池の現在の充電段階は、トリクル充電段階と、定電圧充電段階と、定電流充電段階とのうち、少なくとも一つを含む、
ことを特徴とする請求項３６〜４７のいずれかに記載の無線充電装置。
【請求項４９】
前記無線送信回路の送信電力が調整されて、前記充電対象機器における無線受信回路の出力電圧及び/又は出力電流が前記電池の現在の充電段階にマッチングされるように、通信制御回路が、前記無線充電のプロセスにおいて、前記充電対象機器と無線通信することは、
前記電池の定電圧充電段階において、前記無線送信回路の送信電力が調整されて、前記無線受信回路の出力電圧が前記定電圧充電段階に対応する充電電圧にマッチングされるように、前記通信制御回路が、前記充電対象機器と無線通信することを含む、
ことを特徴とする請求項４８に記載の無線充電装置。
【請求項５０】
前記無線送信回路の送信電力が調整されて、前記充電対象機器における無線受信回路の出力電圧及び/又は出力電流が前記電池の現在の充電段階にマッチングされるように、通信制御回路が、前記無線充電のプロセスにおいて、前記充電対象機器と無線通信することは、
前記無線送信回路の送信電力が調整されて、前記無線受信回路の出力電流が前記定電流充電段階に対応する充電電流にマッチングされるように、前記電池の定電流充電段階において、前記通信制御回路が、前記充電対象機器と無線通信することを含む、
ことを特徴とする請求項４８又は４９に記載の無線充電装置。
【請求項５１】
前記無線送信回路は、さらに、外部から入力される交流を受信し、前記交流に基づいて前記電磁信号を生成する、
ことを特徴とする請求項３６に記載の無線充電装置。
【請求項５２】
前記交流は、２２０Ｖの交流である、
ことを特徴とする請求項５１に記載の無線充電装置。
【請求項５３】
前記通信制御回路は、さらに、前記充電対象機器により送信される、前記電池の現在の電気量及び/又は現在の電圧を含む電池状態情報を受信し、前記電池状態情報に基づいて、前記無線送信回路の送信電力を調整する、
ことを特徴とする請求項３６〜５２のいずれかに記載の無線充電装置。
【請求項５４】
前記通信制御回路と前記充電対象機器との間の無線通信は、無線双方向通信である、
ことを特徴とする請求項３６〜５３のいずれかに記載の無線充電装置。
【請求項５５】
前記通信制御回路と前記充電対象機器とは、ブルートゥース、Ｗｉ-Ｆｉ又は後方散乱変調方式により無線通信する、
ことを特徴とする請求項３６〜５４のいずれかに記載の無線充電装置。
【請求項５６】
前記通信制御回路と前記充電対象機器との間の通信情報は、
前記電池の温度情報と、
前記無線受信回路の出力電圧及び/又は出力電流のピーク値又は平均値を示す情報と、
過電圧保護又は過電流保護に入る指示情報と、
前記無線送信回路と前記無線受信回路との間の電力伝送効率を示すための電力伝送効率情報とのうち、少なくとも一種を含む、
ことを特徴とする請求項３６〜５５のいずれかに記載の無線充電装置。
【請求項５７】
前記通信情報は、前記電力伝送効率情報を含み、前記通信制御回路は、さらに、前記電力伝送効率情報に基づいて、前記無線送信回路の送信電力の調整幅を決定する、
ことを特徴とする請求項５６に記載の無線充電装置。
【請求項５８】
前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速い、
ことを特徴とする請求項３６〜５７のいずれかに記載の無線充電装置。
【請求項５９】
前記第１の無線充電モード又は前記第２の無線充電モードで無線充電を行うことをネゴシエーションするように、前記通信制御回路は、前記充電対象機器と通信する、
ことを特徴とする請求項５８に記載の無線充電装置。
【請求項６０】
前記第１の無線充電モード又は前記第２の無線充電モードで無線充電を行うことをネゴシエーションするように、前記通信制御回路が、前記充電対象機器と通信することは、
前記通信制御回路が、前記充電対象機器とハンドシェイク通信を行い、前記ハンドシェイク通信が成功された場合、前記第１の無線充電モードで前記充電対象機器を充電するように前記無線充電装置を制御し、前記ハンドシェイク通信が失敗された場合、前記第２の無線充電モードで前記充電対象機器を充電するように前記無線充電装置を制御すること、を含む、
ことを特徴とする請求項５９に記載の無線充電装置。
【請求項６１】
前記通信制御回路は、さらに、前記電池の温度に基づいて、前記電池の温度に基づいて、前記第１の無線充電モード又は第２の無線充電モードで前記充電対象機器を充電するように前記無線充電装置を制御する、
ことを特徴とする請求項５８〜６０のいずれかに記載の無線充電装置。
【請求項６２】
前記無線充電装置は、無線充電ベースである、
ことを特徴とする請求項３６〜６１のいずれかに記載の無線充電装置。
【請求項６３】
電池と、
無線充電装置により送信される電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、
前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信する通信制御回路と、を含む、
ことを特徴とする充電対象機器。
【請求項６４】
前記無線充電装置の送信電力が調整されるように、前記通信制御回路が、前記検出回路により検出された前記無線受信回路の出力電圧及び/又は出力電流に基づいて、前記無線充電装置と無線通信することは、
前記通信制御回路が、前記無線充電装置に、電源供給機器の出力電圧及び/又は出力電流を調整するように前記無線充電装置に指示するための調整情報を送信することを含む、
ことを特徴とする請求項６３に記載の充電対象機器。
【請求項６５】
前記電源供給機器は、アダプター、モバイルバッテリー又はコンピュータである、
ことを特徴とする請求項６４に記載の無線充電装置。
【請求項６６】
前記電池の現在の充電段階は、トリクル充電段階と、定電圧充電段階と、定電流充電段階とのうち、少なくとも一つを含む、
ことを特徴とする請求項６３〜６５のいずれかに記載の充電対象機器。
【請求項６７】
前記無線充電装置の送信電力が前記通信制御回路により調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信することは、
前記電池の定電圧充電段階において、前記無線充電装置の送信電力が調整されて、前記無線受信回路の出力電圧が前記定電圧充電段階に対応する充電電圧にマッチングされるように、前記通信制御回路が、前記検出回路により検出された前記無線受信回路の出力電圧及び/又は出力電流に基づいて、前記無線充電装置と無線通信する、
ことを特徴とする請求項６６に記載の充電対象機器。
【請求項６８】
前記無線充電装置の送信電力が前記通信制御回路により調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信することは、
前記電池の定電流充電段階において、前記無線充電装置の送信電力が調整されて、前記無線受信回路の出力電流が前記定電流充電段階に対応する充電電流にマッチングされるように、前記通信制御回路が、前記検出回路により検出された前記無線受信回路の出力電圧及び/又は出力電流に基づいて、前記無線充電装置と無線通信することを含む、
ことを特徴とする請求項６６又は６７に記載の充電対象機器。
【請求項６９】
前記無線充電装置が、電池状態情報に基づいて、前記無線送信回路の送信電力を調整するように、前記通信制御回路は、さらに、前記無線充電装置に、前記充電対象機器における電池の現在の電気量及び/又は現在の電圧を含む前記電池状態情報を送信する、
ことを特徴とする請求項６３〜６８のいずれかに記載の充電対象機器。
【請求項７０】
前記通信制御回路と前記無線充電装置との間の無線通信は、無線双方向通信である、
ことを特徴とする請求項６３〜６９のいずれかに記載の充電対象機器。
【請求項７１】
前記通信制御回路と前記無線充電装置とは、ブルートゥース、Ｗｉ-Ｆｉ又は後方散乱変調方式により無線通信する、
ことを特徴とする請求項６３〜７０のいずれかに記載の充電対象機器。
【請求項７２】
前記通信制御回路と前記無線充電装置との間の通信情報は、
前記電池の温度情報と、
前記無線受信回路の出力電圧及び/又は出力電流のピーク値又は平均値を示す情報と、
過電圧保護又は過電流保護に入る指示情報と
前記無線充電装置と前記無線受信回路との間の電力伝送効率を示すための電力伝送効率情報とのうち、少なくとも一種を含む、
ことを特徴とする請求項６３〜７１のいずれかに記載の充電対象機器。
【請求項７３】
前記充電対象機器は、
前記無線受信回路の出力電流を受信して、前記無線受信回路の出力電流を変換し、変換された電流に基づいて、前記電池を充電する変換回路が設置される第２の充電経路をさらに含み、
前記通信制御回路は、さらに、前記第１の充電経路と前記第２の充電経路との間の切り替えを制御する、
ことを特徴とする請求項６３〜７２のいずれかに記載の充電対象機器。
【請求項７４】
前記通信制御回路は、さらに、前記無線充電装置とハンドシェイク通信を行い、前記ハンドシェイク通信が成功された場合、作動するように前記第１の充電経路を制御し、前記ハンドシェイク通信が失敗された場合、作動するように前記第２の充電経路を制御する、
ことを特徴とする請求項７３に記載の充電対象機器。
【請求項７５】
前記通信制御回路は、さらに、前記電池の温度に基づいて、前記第１の充電経路と前記第２の充電経路との間の切り替えを制御する、
ことを特徴とする請求項７３又は７４に記載の充電対象機器。
【請求項７６】
前記無線受信回路の出力電流は、一定直流、脈動直流又は交流である、
ことを特徴とする請求項６３〜７５のいずれかに記載の充電対象機器。
【請求項７７】
前記無線受信回路の出力電流が、脈動直流であり、
前記検出回路は、
サンプリング状態にある場合、前記脈動直流をサンプリングし、保持状態にある場合、前記脈動直流の電流のピーク値を保持するサンプリング保持回路を含み、
前記第２の通信制御回路は、さらに、前記サンプリング保持回路が保持状態にあるか否かを判断し、前記サンプリング保持回路が前記保持状態にあると判断された場合、前記サンプリング保持回路が保持している前記脈動直流の電流のピーク値を収集する、
ことを特徴とする請求項７６に記載の充電対象機器。
【請求項７８】
前記サンプリング保持回路は、コンデンサを含み、前記サンプリング保持回路は、前記サンプリング保持回路におけるコンデンサにより前記脈動直流の電流のピーク値を保持し、
前記検出回路は、放電回路をさらに含み、前記第２の通信制御回路は、さらに、前記サンプリング保持回路が保持状態からサンプリング状態へ変換されるように、前記放電回路により前記サンプリング保持回路におけるコンデンサ両端の電荷を放出する、
ことを特徴とする請求項７７に記載の充電対象機器。
【請求項７９】
前記無線充電装置が、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速く、前記第１の無線充電モード又は前記第２の無線充電モードで無線充電を行うことをネゴシエーションするように、前記通信制御回路は、さらに、前記無線充電装置と通信する、
ことを特徴とする請求項６３〜７８のいずれかに記載の充電対象機器。
【請求項８０】
無線充電システムに適用される無線充電方法であって、前記無線充電システムは、無線充電装置と、充電対象機器と、を含み、
前記無線充電装置は、
前記充電対象機器を無線充電するように、電磁信号を送信する無線送信回路を含み、
前記充電対象機器は、
電池と、
前記電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、を含み、
前記無線充電方法は、
前記無線送信回路の送信電力が前記無線充電装置により調整されて、前記無線受信回路の出力電圧及び/又は出力電流が前記電池の現在の充電段階にマッチングされるように、前記充電対象機器が、前記検出回路により検出された前記無線受信回路の出力電圧及び/又は出力電流に基づいて、前記無線充電装置と無線通信するステップを含む、
ことを特徴とする無線充電方法。
【請求項８１】
前記無線充電装置は、
充電インターフェースをさらに含み、
前記無線送信回路は、さらに、前記充電インターフェースを介して電源供給機器の出力電圧及び出力電流を受信し、前記電源供給機器の出力電圧及び出力電流に基づいて、前記電磁信号を生成する、
ことを特徴とする請求項８０に記載の無線充電方法。
【請求項８２】
前記無線充電方法は、
前記電源供給機器の出力電力をネゴシエーションするように、前記無線充電装置が、前記電源供給機器と通信するステップをさらに含む、
ことを特徴とする請求項８１に記載の無線充電方法。
【請求項８３】
前記電源供給機器の出力電力をネゴシエーションするように、前記無線充電装置が、前記電源供給機器と通信するステップは、
前記電源供給機器の最大出力電力をネゴシエーションするように、前記無線充電装置が、前記電源供給機器と通信するステップを含み、
前記無線送信回路の送信電力が前記無線充電装置により調整されるステップは、
前記無線送信回路が、前記電源供給機器の最大出力電力に基づいて、前記充電対象機器を無線充電するプロセスにおいて、前記無線送信回路の送信電力を調整するように、前記無線充電装置が、前記無線送信回路が前記最大出力電力から抽出する電力量を調整するステップを含む、
ことを特徴とする請求項８２に記載の無線充電方法。
【請求項８４】
前記無線送信回路の送信電力が前記無線充電装置により調整されるステップは、
前記電源供給機器の出力電圧及び/又は出力電流を調整することにより、前記無線送信回路の送信電力を調整するように、前記無線充電装置が、前記電源供給機器と通信するステップを含む、
ことを特徴とする請求項８２に記載の無線充電方法。
【請求項８５】
前記無線充電装置が前記無線送信回路の送信電力を調整するように、前記充電対象機器が、前記検出回路により検出された前記無線受信回路の出力電圧及び/又は出力電流に基づいて、前記無線充電装置と無線通信するステップは、
前記充電対象機器が、前記無線充電装置に、前記電源供給機器の出力電圧及び/又は出力電流を調整するように前記無線充電装置に指示するための調整情報を送信するステップを含む、
ことを特徴とする請求項８４に記載の無線充電方法。
【請求項８６】
前記電池の現在の充電段階は、トリクル充電段階と、定電圧充電段階と、定電流充電段階とのうち、少なくとも一つを含む、
ことを特徴とする請求項８０〜８５のいずれかに記載の無線充電方法。
【請求項８７】
前記無線充電装置が、前記無線受信回路の出力電圧及び/又は出力電流に基づいて、前記無線送信回路の送信電力を調整するように、前記充電対象機器が、前記検出回路により検出された前記無線受信回路の出力電圧及び/又は出力電流に基づいて、前記無線充電装置と無線通信するステップは、
前記電池の定電圧充電段階において、前記無線送信回路の送信電力が前記無線充電装置により調整されて、前記無線受信回路の出力電圧が前記定電圧充電段階に対応する充電電圧にマッチングされるように、前記充電対象機器が、前記検出回路により検出された前記無線受信回路の出力電圧及び/又は出力電流に基づいて、前記無線充電装置と無線通信するステップを含む、
ことを特徴とする請求項８６に記載の無線充電方法。
【請求項８８】
前記無線充電装置が、前記無線受信回路の出力電圧及び/又は出力電流に基づいて、前記無線送信回路の送信電力を調整するように、前記充電対象機器が、前記検出回路により検出された前記無線受信回路の出力電圧及び/又は出力電流に基づいて、前記無線充電装置と無線通信するステップは、
前記電池の定電流充電段階において、前記無線送信回路の送信電力が前記無線充電装置により調整されて、前記無線受信回路の出力電流が前記定電流充電段階に対応する充電電流にマッチングされるように、前記充電対象機器が、前記検出回路により検出された前記無線受信回路の出力電圧及び/又は出力電流に基づいて、前記無線充電装置と無線通信するステップを含む、
ことを特徴とする請求項８６又は８７に記載の無線充電方法。
【請求項８９】
前記無線充電方法は、
前記無線充電装置が、電池状態情報に基づいて、前記無線送信回路の送信電力を調整するように、前記充電対象機器が、前記無線充電装置に、前記充電対象機器における電池の現在の電気量及び/又は現在の電圧を含む前記電池状態情報を送信するステップ、をさらに含む、
ことを特徴とする請求項８０〜８８のいずれかに記載の無線充電方法。
【請求項９０】
前記無線充電装置と前記充電対象機器との間の通信情報は、
前記電池の温度情報と、
前記無線受信回路の出力電圧及び/又は出力電流のピーク値又は平均値を示す情報と、
過電圧保護又は過電流保護に入る指示情報と、
前記無線送信回路と前記無線受信回路との間の電力伝送効率を示すための電力伝送効率情報とのうち、少なくとも一種を含む、
ことを特徴とする請求項８０〜８９のいずれかに記載の無線充電方法。
【請求項９１】
前記通信情報は、前記電力伝送効率情報を含み、前記無線充電方法は、
前記無線充電装置が、前記電力伝送効率情報に基づいて、前記無線送信回路の送信電力の調整幅を決定するステップをさらに含む、
ことを特徴とする請求項９０に記載の無線充電方法。
【請求項９２】
前記充電対象機器は、
前記無線受信回路の出力電流を受信して、前記無線受信回路の出力電流を変換し、変換された電流に基づいて、前記電池を充電する変換回路が設置される第２の充電経路をさらに含み、
前記無線充電方法は、
前記充電対象機器が、前記第１の充電経路と前記第２の充電経路との間の切り替えを制御するステップをさらに含む、
ことを特徴とする請求項８０〜９１のいずれかに記載の無線充電方法。
【請求項９３】
前記無線充電方法は、
前記充電対象機器と前記無線充電装置とがハンドシェイク通信を行い、前記ハンドシェイク通信が成功された場合、作動するように前記第１の充電経路を制御し、前記ハンドシェイク通信が失敗された場合、作動するように前記第２の充電経路を制御するステップをさらに含む、
ことを特徴とする請求項９２に記載の無線充電方法。
【請求項９４】
前記無線充電方法は、
前記充電対象機器が、前記電池の温度に基づいて、前記第１の充電経路と前記第２の充電経路との間の切り替えを制御するステップをさらに含む、
ことを特徴とする請求項９２又は９３に記載の無線充電方法。
【請求項９５】
前前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速い、
ことを特徴とする請求項８０〜９４のいずれかに記載の無線充電方法。
【請求項９６】
前記無線充電方法は、
前記第１の無線充電モード又は前記第２の無線充電モードで無線充電を行うことをネゴシエーションするように、前記無線充電装置が、前記充電対象機器と通信するステップをさらに含む、
ことを特徴とする請求項９５に記載の無線充電方法。
【請求項９７】
前記第１の無線充電モード又は前記第２の無線充電モードで無線充電を行うことをネゴシエーションするように、前記無線充電装置が、前記充電対象機器と通信するステップは、
前記無線充電装置が前記充電対象機器とハンドシェイク通信を行い、前記ハンドシェイク通信が成功された場合、前記第１の無線充電モードで前記充電対象機器を充電するように前記無線充電装置を制御し、前記ハンドシェイク通信が失敗された場合、前記第２の無線充電モードで前記充電対象機器を充電するように前記無線充電装置を制御するステップを含む、
ことを特徴とする請求項９６に記載の無線充電方法。
【請求項９８】
前記無線充電方法は、
前記無線充電装置が、前記電池の温度に基づいて、前記第１の無線充電モード又は第２の無線充電モードで前記電池を充電するように前記無線充電装置を制御するステップをさらに含む、
ことを特徴とする請求項９５〜９７のいずれかに記載の無線充電方法。
【請求項９９】
無線充電装置に適用される無線充電方法であって、
前記無線充電装置は、
充電対象機器を無線充電するように、電磁信号を送信する無線送信回路を含み、
前記無線充電方法は、
前記無線充電のプロセスにおいて、前記無線送信回路の送信電力が調整されて、前記充電対象機器における無線受信回路の出力電圧及び/又は出力電流が前記充電対象機器における電池の現在の充電段階にマッチングされるように、前記充電対象機器と無線通信するステップを含む、
ことを特徴とする無線充電方法。
【請求項１００】
前記無線充電装置は、
充電インターフェースをさらに含み、
前記無線送信回路は、さらに、前記充電インターフェースを介して電源供給機器の出力電圧及び出力電流を受信し、前記電源供給機器の出力電圧及び出力電流に基づいて、前記電磁信号を生成する、
ことを特徴とする請求項９９に記載の無線充電方法。
【請求項１０１】
前記無線充電方法は、
前記電源供給機器の出力電力をネゴシエーションするように、前記電源供給機器と通信するステップをさらに含む、
ことを特徴とする請求項１００に記載の無線充電方法。
【請求項１０２】
前記電源供給機器の出力電力をネゴシエーションするように、前記電源供給機器と通信するステップは、
前記電源供給機器の最大出力電力をネゴシエーションするように、前記電源供給機器と通信するステップを含み、
前記無線送信回路の送信電力が調整されるステップは、
前記無線送信回路が、前記電源供給機器の最大出力電力に基づいて、前記充電対象機器を無線充電するプロセスにおいて、前記無線送信回路の送信電力を調整するように、前記無線送信回路が前記最大出力電力から抽出する電力量を調整するステップを含む、
ことを特徴とする請求項１０１に記載の無線充電方法。
【請求項１０３】
前記無線送信回路の送信電力が調整されるステップは、
前記電源供給機器の出力電圧及び/又は出力電流を調整することにより、前記無線送信回路の送信電力を調整するように、前記電源供給機器と通信するステップを含む、
ことを特徴とする請求項１０１に記載の無線充電方法。
【請求項１０４】
前記無線充電のプロセスにおいて、前記無線送信回路の送信電力を調整するように、前記充電対象機器と無線通信するステップは、
前記充電対象機器により送信される、前記無線充電装置に前記電源供給機器の出力電圧及び/又は出力電流を調整するように指示するための調整情報を受信するステップを含む、
ことを特徴とする請求項１０３に記載の無線充電方法。
【請求項１０５】
前記電池の現在の充電段階は、トリクル充電段階と、定電圧充電段階と、定電流充電段階とのうち、少なくとも一つを含む、
ことを特徴とする請求項９９〜１０４のいずれかに記載の無線充電方法。
【請求項１０６】
前記無線充電のプロセスにおいて、前記無線送信回路の送信電力が調整されて、前記充電対象機器における無線受信回路の出力電圧及び/又は出力電流が前記電池の現在の充電段階にマッチングされるように、前記充電対象機器と無線通信するステップは、
前記電池の定電圧充電段階において、前記無線送信回路の送信電力が調整されて、前記無線受信回路の出力電圧が前記定電圧充電段階に対応する充電電圧にマッチングされるように、前記充電対象機器と無線通信するステップを含む、
ことを特徴とする請求項１０５に記載の無線充電方法。
【請求項１０７】
前記無線充電のプロセスにおいて、前記無線送信回路の送信電力が調整されて、前記充電対象機器における無線受信回路の出力電圧及び/又は出力電流が前記電池の現在の充電段階にマッチングされるように、前記充電対象機器と無線通信するステップは、
前記電池の定電流充電段階において、前記無線送信回路の送信電力が調整されて、前記無線受信回路の出力電流が前記定電流充電段階に対応する充電電流にマッチングされるように、前記充電対象機器と無線通信するステップを含む、
ことを特徴とする請求項１０５又は１０６に記載の無線充電方法。
【請求項１０８】
前記無線充電方法は、
前記充電対象機器により送信される、前記電池の現在の電気量及び/又は現在の電圧を含む電池状態情報を受信し、前記電池状態情報に基づいて、前記無線送信回路の送信電力を調整するステップをさらに含む、
ことを特徴とする請求項９９〜１０７のいずれかに記載の無線充電方法。
【請求項１０９】
前記無線充電装置と前記充電対象機器との間の通信情報は、
前記電池の温度情報と、
前記無線受信回路の出力電圧及び/又は出力電流のピーク値又は平均値を示す情報と、
過電圧保護又は過電流保護に入る指示情報と、
前記無線送信回路と前記無線受信回路との間の電力伝送効率を示すための電力伝送効率情報とのうち、少なくとも一種を含む、
ことを特徴とする請求項９９〜１０８のいずれかに記載の無線充電方法。
【請求項１１０】
前記通信情報は、前記電力伝送効率情報を含み、前記無線充電方法は、
前記電力伝送効率情報に基づいて、前記無線送信回路の送信電力の調整幅を決定するステップをさらに含む、
ことを特徴とする請求項１０９に記載の無線充電方法。
【請求項１１１】
前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速い、
ことを特徴とする請求項９９〜１１０のいずれかに記載の無線充電方法。
【請求項１１２】
前記無線充電方法は、
前記第１の無線充電モード又は前記第２の無線充電モードで無線充電を行うことをネゴシエーションするように、前記充電対象機器と通信するステップをさらに含む、
ことを特徴とする請求項１１１に記載の無線充電方法。
【請求項１１３】
前記第１の無線充電モード又は前記第２の無線充電モードで無線充電を行うことをネゴシエーションするように、前記充電対象機器と通信するステップは、
前記充電対象機器とハンドシェイク通信を行い、前記ハンドシェイク通信が成功された場合、前記第１の無線充電モードで前記充電対象機器を充電するように前記無線充電装置を制御し、前記ハンドシェイク通信が失敗された場合、前記第２の無線充電モードで前記充電対象機器を充電するように前記無線充電装置を制御するステップを含む、
ことを特徴とする請求項１１２に記載の無線充電方法。
【請求項１１４】
前記無線充電方法は、
前記電池の温度に基づいて、前記第１の無線充電モード又は第２の無線充電モードで前記電池を充電するように前記無線充電装置を制御するステップをさらに含む、
ことを特徴とする請求項１１１〜１１３のいずれかに記載の無線充電方法。
【請求項１１５】
充電対象機器に適用される無線充電方法であって、
電池と、
無線充電装置により送信される電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、を含み、
前記無線充電方法は、
前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップを含む、
ことを特徴とする無線充電方法。
【請求項１１６】
前記無線充電装置の送信電力が調整されるように、前記検出回路により検出された前記無線受信回路の出力電圧及び/又は出力電流に基づいて、前記無線充電装置と無線通信するステップは、
前記無線充電装置に、電源供給機器の出力電圧及び/又は出力電流を調整するように前記無線充電装置に指示するための調整情報を送信するステップを含む、
ことを特徴とする請求項１１５に記載の無線充電方法。
【請求項１１７】
前記電池の現在の充電段階は、トリクル充電段階と、定電圧充電段階と、定電流充電段階とのうち、少なくとも一つを含む、
ことを特徴とする請求項１１５又は１１６に記載の無線充電方法。
【請求項１１８】
前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップは、
前記電池の定電圧充電段階において、前記無線充電装置の送信電力が調整されて、前記無線受信回路の出力電圧が前記定電圧充電段階に対応する充電電圧にマッチングされるように、前記検出回路により検出された前記無線受信回路の出力電圧及び/又は出力電流に基づいて、前記無線充電装置と無線通信するステップを含む、
ことを特徴とする請求項１１７に記載の無線充電方法。
【請求項１１９】
前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップは、
前記無線充電装置の送信電力が調整されて、前記無線受信回路の出力電流が前記定電流充電段階に対応する充電電流にマッチングされるように、前記電池の定電流充電段階において、前記検出回路により検出された前記無線受信回路の出力電圧及び/又は出力電流に基づいて、前記無線充電装置と無線通信するステップを含む、
ことを特徴とする請求項１１７又は１１８に記載の無線充電方法。
【請求項１２０】
前記無線充電方法は、
前記無線充電装置が電池状態情報に基づいて、前記無線送信回路の送信電力を調整するように、前記無線充電装置に、前記充電対象機器における電池の現在の電気量及び/又は現在の電圧を含む前記電池状態情報を送信するステップをさらに含む、
ことを特徴とする請求項１１５〜１１９のいずれかに記載の無線充電方法。
【請求項１２１】
前記充電対象機器と前記無線充電装置との間の通信情報は、
前記電池の温度情報と、
前記無線受信回路の出力電圧及び/又は出力電流のピーク値又は平均値を示す情報と、
過電圧保護又は過電流保護に入る指示情報と、
前記無線充電装置と前記無線受信回路との間の電力伝送効率を示すための電力伝送効率情報とのうち、少なくとも一種を含む、
ことを特徴とする請求項１１５〜１２０のいずれかに記載の無線充電方法。
【請求項１２２】
前記充電対象機器は、前記無線受信回路の出力電流を受信して、前記無線受信回路の出力電流を変換し、変換された電流に基づいて、前記電池を充電する変換回路が設置される第２の充電経路をさらに含み、
前記無線充電方法は、
前記第１の充電経路と前記第２の充電経路との間の切り替えを制御するステップをさらに含む、
ことを特徴とする請求項１１５〜１２１のいずれかに記載の無線充電方法。
【請求項１２３】
前記無線充電方法は、
前記無線充電装置とハンドシェイク通信を行い、前記ハンドシェイク通信が成功された場合、作動するように前記第１の充電経路を制御し、前記ハンドシェイク通信が失敗された場合、作動するように前記第２の充電経路を制御するステップをさらに含む、
ことを特徴とする請求項１２２に記載の無線充電方法。
【請求項１２４】
前記無線充電方法は、
前記電池の温度に基づいて、前記第１の充電経路と前記第２の充電経路との間の切り替えを制御するステップをさらに含む、
ことを特徴とする請求項１２２又は１２３に記載の無線充電方法。
【請求項１２５】
前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速く、
前記無線充電方法は、
前記第１の無線充電モード又は前記第２の無線充電モードで無線充電を行うことをネゴシエーションするように、前記無線充電装置と通信するステップをさらに含む、
ことを特徴とする請求項１１５〜１２４のいずれかに記載の無線充電方法。
【発明の詳細な説明】
【技術分野】
【０００１】
本出願は無線充電分野に関し、より具体的には、無線充電システム、装置、方法及び充電対象機器に関する。
【背景技術】
【０００２】
現在、充電技術分野において、充電対象機器は、主に有線充電方式により充電を行う。
【０００３】
携帯電話を例として、現在、携帯電話の充電方式は、依然として、有線充電方式を主とする。具体的には、携帯電話を充電する必要がある場合、充電ケーブル（例えば、ユニバーサル・シリアル・バス（ｕｎｉｖｅｒｓａｌ ｓｅｒｉａｌ ｂｕｓ、ＵＳＢ）ケーブル）を介して携帯電話を電源供給機器に接続し、当該充電ケーブルを介して電源供給機器の出力電力を携帯電話に伝送して携帯電話における電池を充電することができる。
【０００４】
充電対象機器にとって，有線充電方式は充電ケーブルを使用する必要があるため，充電準備段階の操作が煩雑である。そのため、無線充電方式がますます人気になってきている。しかし、従来の無線充電方式の効果が悪く、早急に改善を要する。
【発明の概要】
【発明が解決しようとする課題】
【０００５】
本出願は、無線充電のプロセスを改善するために、無線充電システム、装置、方法及び充電対象機器を提供する。
【０００６】
一側面において、無線充電システムを提供する。前記無線充電システムは、無線充電装置と、充電対象機器と、を含み、前記無線充電装置は、前記充電対象機器を無線充電するために、電磁信号を送信する無線送信回路と、前記無線充電のプロセスにおいて、前記充電対象機器と無線通信する第１の通信制御回路と、を含み、前記充電対象機器は、電池と、前記電磁信号を受信し、前記電磁信号を前記無線受信回路の出力電圧及び出力電流に変換する無線受信回路と、前記無線受信回路の出力電圧及び出力電流を受信し、前記無線受信回路の出力電圧及び出力電流に基づいて、前記電池を充電する第１の充電経路と、前記無線受信回路の出力電圧及び/又は出力電流を検出する検出回路と、前記無線送信回路の送信電力が前記第１の通信制御回路により調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記第１の通信制御回路と無線通信する第２の通信制御回路と、を含む。
【０００７】
他の側面において、無線充電装置を提供する。前記無線充電装置は、充電対象機器を無線充電するために、電磁信号を送信する無線送信回路と、前記無線充電のプロセスにおいて、前記無線送信回路の送信電力が調整されて、前記充電対象機器における無線受信回路の出力電圧及び/又は出力電流が前記充電対象機器における電池の現在の充電段階にマッチングされるように、前記充電対象機器と無線通信する通信制御回路（上記無線充電システムにおける第１の通信制御回路に対応する）と、を含む。
【０００８】
他の側面において、充電対象機器を提供する。前記充電対象機器は、電池と、無線充電装置により送信される電磁信号を受信し、前記電磁信号を前記無線受信回路の出力電圧及び出力電流に変換する無線受信回路と、前記無線受信回路の出力電圧及び出力電流を受信し、前記無線受信回路の出力電圧及び出力電流に基づいて、前記電池を充電する第１の充電経路と、前記無線受信回路の出力電圧及び/又は出力電流を検出する検出回路と、前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信する通信制御回路（上記無線充電システムにおける第２の通信制御回路に対応する）と、を含む。
【０００９】
他の側面において、無線充電方法を提供する。前記無線充電方法は、無線充電システムに適用され、前記無線充電システムは、無線充電装置と、充電対象機器と、を含み、前記無線充電装置は、前記充電対象機器を無線充電するために、電磁信号を送信する無線送信回路を含み、前記充電対象機器は、電池と、前記電磁信号を受信し、前記電磁信号を前記無線受信回路の出力電圧及び出力電流に変換する無線受信回路と、前記無線受信回路の出力電圧及び出力電流を受信し、前記無線受信回路の出力電圧及び出力電流に基づいて、前記電池を充電する第１の充電経路と、前記無線受信回路の出力電圧及び/又は出力電流を検出する検出回路と、を含み、前記無線充電方法は、前記無線送信回路の送信電力が前記無線充電装置により調整されて、前記無線受信回路の出力電圧及び/又は出力電流が前記電池の現在の充電段階にマッチングされるように、前記充電対象機器が、前記検出回路により検出された前記無線受信回路の出力電圧及び/又は出力電流に基づいて、前記第１の通信制御回路と無線通信するステップを含む。
【００１０】
他の側面において、無線充電方法を提供する。前記無線充電方法は、無線充電装置に適用され、前記無線充電装置は、充電対象機器を無線充電するために、電磁信号を送信する無線送信回路を含み、前記無線充電方法は、前記無線充電のプロセスにおいて、前記無線送信回路の送信電力が調整されて、前記充電対象機器における無線受信回路の出力電圧及び/又は出力電流が前記充電対象機器における電池の現在の充電段階にマッチングされるように、前記充電対象機器と無線通信するステップを含む。
【００１１】
他の側面において、無線充電方法を提供する。前記無線充電方法は、充電対象機器に適用され、前記充電対象機器は、電池と、無線充電装置により送信される電磁信号を受信し、前記電磁信号を前記無線受信回路の出力電圧及び出力電流に変換する無線受信回路と、前記無線受信回路の出力電圧及び出力電流を受信し、前記無線受信回路の出力電圧及び出力電流に基づいて、前記電池を充電する第１の充電経路と、前記無線受信回路の出力電圧及び/又は出力電流を検出する検出回路と、を含み、前記無線充電方法は、前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップを含む。
【図面の簡単な説明】
【００１２】
【図１】従来の無線充電システムの構造概略図である。
【図２】本発明の一実施例により提供される無線充電システムの構造概略図である。
【図３】本発明の他の実施例により提供される無線充電システムの構造概略図である。
【図４】本発明のさらに他の実施例により提供される無線充電システムの構造概略図である。
【図５】本発明のさらに他の実施例により提供される無線充電システムの構造概略図である。
【図６】本発明の一実施例により提供される充電対象機器の構造概略図である。
【図７】本発明の他の実施例により提供される充電対象機器の構造概略図である。
【図８】本発明のさらに他の実施例により提供される無線充電システムの構造概略図である。
【図９】本発明の一実施例により提供される無線充電方法の概略的なフローチャートである。
【図１０】本発明の他の実施例により提供される無線充電方法の概略的なフローチャートである。
【図１１】本発明のさらに他の実施例により提供される無線充電方法の概略的なフローチャートである。
【発明を実施するための形態】
【００１３】
本発明の実施例は、無線充電技術に基づいて充電対象機器を充電する。無線充電技術は、ケーブルなしに電力の伝送を完成することができ、充電準備段階の操作を簡素化することができる。
【００１４】
従来の無線充電技術は、通常電源供給機器（例えば、アダプター）を無線充電装置（例えば、無線充電ベース）に接続し、該無線充電装置を介して電源供給機器の出力電力を無線の方式（例えば、電磁信号又は電磁波）により充電対象機器に伝送して、充電対象機器を無線充電する。
【００１５】
無線充電の原理によっては、無線充電方式は、主として磁気結合（又は電磁誘導）、磁気共鳴及び無線電波の三つの方式に分けられている。現在、主流の無線充電規格は、ＱＩ規格、ＰＭＡ（ｐｏｗｅｒ ｍａｔｔｅｒｓ ａｌｌｉａｎｃｅ）規格、Ａ４ＷＰ（ａｌｌｉａｎｃｅ ｆｏｒ ｗｉｒｅｌｅｓｓ ｐｏｗｅｒ）を含む。ＱＩ規格及びＰＭＡ規格は、いずれも磁気結合方式により無線充電を行う。Ａ４ＷＰ規格は、磁気共鳴方式により無線充電を行う。
【００１６】
以下、図１を参照して従来の無線充電方式について説明する。
【００１７】
図１に示すように、無線充電システムは、電源供給機器１１０と、無線充電装置１２０と、充電対象機器１３０と、を含み、無線充電装置１２０は、例えば、無線充電ベースであってもよく、充電対象機器１３０は、例えば、端末であってもよい。
【００１８】
電源供給機器１１０が、無線充電装置１２０に接続された後、電源供給機器１１０の出力電流を無線充電装置１２０に伝送する。無線充電装置１２０は、内部における無線送信回路１２１を介して電源供給機器１１０の出力電流を電磁信号（又は電磁波）に変換して送信することができる。例えば、当該無線送信回路１２１は、電源供給機器１１０の出力電流を交流に変換し、送信コイル又は送信アンテナ（図示せず）を介して当該交流を電磁信号に変換することができる。
【００１９】
充電対象機器１３０は、無線受信回路１３１を介して無線送信回路１２１により送信される電磁信号を受信し、当該電磁信号を無線受信回路１３１の出力電流に変換することができる。例えば、当該無線受信回路１３１は、受信コイル又は受信アンテナ（図示せず）を介して無線送信回路１２１により送信される電磁信号を交流に変換し、当該交流に対して整流及び/又はフィルタリングなどの操作を行って、当該交流を無線受信回路１３１の出力電圧及び出力電流に変換することができる。
【００２０】
従来の無線充電技術について、無線充電する前に、無線充電装置１２０と充電対象機器１３０とが、無線送信回路１２１の送信電力を予めネゴシエーションする。無線充電装置１２０と充電対象機器１３０とがネゴシエーションした電力が５Ｗであると想定すると、無線受信回路１３１の出力電圧と出力電流は、一般的には５Ｖと１Ａである。無線充電装置１２０と充電対象機器１３０とがネゴシエーションした電力が１０．８Ｗであると想定すると、無線受信回路１３１の出力電圧と出力電流は、一般的には９Ｖと１．２Ａである。
【００２１】
無線受信回路１３１の出力電圧は、電池１３３の両端に直接印加するのに適さず、充電対象機器１３０における電池１３３の所期の充電電圧及び/又は充電電流を取得するために、まず、充電対象機器１３０における変換回路１３２を経由して変換を行う必要がある。
【００２２】
変換回路１３２は、電池１３３の所期の充電電圧及び/又は充電電流のニーズを満たすように、無線受信回路１３１の出力電圧を変換することができる。
【００２３】
一例として、当該変換回路１３２は、充電管理モジュール、例えば、充電集積回路（ｉｎｔｅｇｒａｔｅｄ ｃｉｒｃｕｉｔ、ＩＣ）を指すことができる。電池１３３の充電プロセスにおいて、変換回路１３２は、電池１３３の充電電圧及び/又は充電電流を管理することができる。電池１３３に対する充電電圧及び/又は充電電流の管理を実現するように、当該変換回路１３２は、電圧フィードバック機能及び/又は電流フィードバック機能を含むことができる。
【００２４】
例を挙げて説明すると、電池の充電プロセスは、トリクル充電段階と、定電流充電段階と、定電圧充電段階とのうち、一つ又は複数を含んでもよい。トリクル充電段階において、変換回路１３２は、電流フィードバックループを利用することにより、トリクル充電段階で電池１３３に流れ込む電流が電池の所期の充電電流の大きさ（例えば、第１充電電流）を満たすようにする。定電流充電段階において、変換回路１３２は、電流フィードバックループを利用することにより、定電流充電段階で電池１３３に流れ込む電流の大きさが電池１３３の所期の充電電流の大きさ（例えば、第２充電電流であり、当該第２充電電流は第１充電電流より大きくてもよい）を満たすようにする。定電圧充電段階において、変換回路１３２は、電圧フィードバックループを利用することにより、定電圧充電段階で電池１３３の両端に印加される電圧の大きさが電池１３３の所期の充電電圧の大きさを満たすようにする。
【００２５】
一例として、無線受信回路１３１の出力電圧が電池１３３の所期の充電電圧より大きい場合、変換回路１３２は、降圧変換後に取得された充電電圧が電池１３３の所期の充電電圧のニーズを満たすように、無線受信回路１３１の出力電圧に対して降圧処理するために用いることができる。もう一例として、無線受信回路１３１の出力電圧が電池１３３の所期の充電電圧より小さい場合、変換回路１３２は、昇圧変換後に取得された充電電圧が電池１３３の所期の充電電圧のニーズを満たすように、無線受信回路１３１の出力電圧に対する昇圧処理するために用いることができる。
【００２６】
もう一例として、無線受信回路１３１が５Ｖの定電圧を出力することを例として、電池１３３が一つのセルを含む（リチウム電池のセルを例として、一つのセルの充電終止電圧は、４．２Ｖである）場合、変換回路１３２（例えばＢｕｃｋ降圧回路）は、降圧後に取得された充電電圧が電池１３３の所期の充電電圧のニーズを満たすように、無線受信回路１３１の出力電圧に対して降圧処理することができる。
【００２７】
もう一例として、無線受信回路１３１が５Ｖの定電圧を出力することを例として、電池１３３が直列接続される２つ又は２つ以上のセル（リチウム電池のセルを例として、一つのセルの充電終止電圧は、４．２Ｖである）を含む場合、変換回路１３２（例えばＢｏｏｓｔ昇圧回路）は、昇圧後に取得された充電電圧が電池１３３の所期の充電電圧のニーズを満たすように、無線受信回路１３１の出力電圧に対して昇圧処理することができる。
【００２８】
変換回路１３２が回路変換効率低下という原因に制限されることにより、変換されていない一部の電気エネルギーは熱という形で損失する。この一部の熱は、充電対象機器１３０の内部に集まる。充電対象機器１３０の設計空間も放熱空間も小さい（例えば、ユーザが使用する携帯端末の物理的なサイズは、ますます薄くなり、同時に携帯端末の性能を向上させるために、携帯端末内に大量の電子素子が密集配置されている）ことから、変換回路１３２の設計難易度を上げるだけではなく、充電対象機器１３０内に集まる熱量の迅速除去が難しくなり、さらに、充電対象機器１３０の異常を引き起こす。
【００２９】
例えば、変換回路１３２に集まっている熱が変換回路１３２の近くの電子素子に熱干渉を与えて、電子素子の作動異常を起こすおそれがある。また、例えば、変換回路１３２に集まっている熱が変換回路１３２及び近くの電子素子の使用寿命を縮めるおそれがある。また、例えば、変換回路１３２に集まっている熱が電池１３３に熱干渉を与えて、さらに電池１３３の充放電異常を招くおそれがある。また、例えば、変換回路１３２に集まっている熱によって充電対象機器１３０の温度上昇を招いて、ユーザの充電時のユーザエクスペリエンスに影響を与えるおそれがある。また、例えば、変換回路１３２に集まっている熱によって変換回路１３２自体の短絡を招くことにより、無線受信回路１３１の出力電圧は直接に電池１３３の両端に印加され、充電異常を引き起こすおそれがあり、電池１３３が長時間過電圧充電状態にある場合、電池１３３の爆発さえ引き起こし、ユーザの安全に危険を及ぼす。
【００３０】
上記問題を解決するために、本発明の実施例は、無線充電システムを提供する。充電対象機器内部の無線受信回路の出力電圧及び/又は出力電流が、電池の現在の充電段階にマッチングされるように、当該無線充電システムにおける無線充電装置は、充電対象機器と無線通信することができ、また、当該無線充電装置の送信電力は、充電対象機器のフィードバック情報に基づいて調節することができる。言い換えれば、充電対象機器内部の無線受信回路の出力電圧及び/又は出力電流が、電池の現在の充電ニーズ（現在の充電電圧及び/又は充電電流に対する電池のニーズを含む）を満たすように、当該無線充電システムにおける無線充電装置は、充電対象機器と無線通信することができ、また、当該無線充電装置の送信電力は、充電対象機器のフィードバック情報に基づいて調節することができる。そうすると、充電対象機器において、無線受信回路の出力電圧及び/又は出力電流は、電池の両端に直接印加して、電池を充電する（以下、このような充電方式を「直接充電」という）ことができ、したがって、上記説明における変換回路が無線受信回路の出力電圧及び/又は出力電流を変換することによるエネルギー損失、発熱などの問題を回避することができる。
【００３１】
以下、図２を参照して、本発明の実施例により提供される無線充電システム２００について詳しく説明する。
【００３２】
図２に示すように、本発明の実施例により提供される無線充電システム２００は、無線充電装置２２０と、充電対象機器２３０と、を含むことができる。
【００３３】
無線充電装置２２０は、無線送信回路２２１と、第１の通信制御回路２２２とを含むことができる。第１の通信制御回路２２２における制御機能は、例えば、マイクロ・コントローラ・ユニット（ｍｉｃｒｏ ｃｏｎｔｒｏｌ ｕｎｉｔ、ＭＣＵ）により実現することができる。
【００３４】
無線送信回路２２１は、電磁信号を送信して、充電対象機器２３０を無線充電することができる。一部の実施例において、無線送信回路２２１は、無線送信駆動回路と、送信コイル又は送信アンテナ（図示せず）と、を含むことができる。無線送信駆動回路は、周波数の高い交流を生成することができ、送信コイル又は送信アンテナは、当該周波数の高い交流を電磁信号に変換して送信することができる。
【００３５】
第１の通信制御回路２２２は、無線充電のプロセスにおいて、充電対象機器２３０と無線通信することができる。具体的には、第１の通信制御回路２２２は、充電対象機器２３０における第２の通信制御回路２３５と通信することができる。本発明の実施例は、第１の通信制御回路２２２と第２の通信制御回路２３５との間の通信方式、及び第１の通信制御回路２２２と第２の通信制御回路２３５とによりインタラクションされる通信情報について、具体的に限定せず、以下、具体的な実施例に合わせて詳しく説明する。
【００３６】
充電対象機器２３０は、無線受信回路２３１と、電池２３２と、第１の充電経路２３３と、検出回路２３４と、第２の通信制御回路２３５と、を含むことができる。第２の通信制御回路２３５における制御機能は、例えば、マイクロ・コントローラ・ユニット（ｍｉｃｒｏ ｃｏｎｔｒｏｌ ｕｎｉｔ、ＭＣＵ）により実現することができ、又はＭＣＵと充電対象機器内部のアプリケーションプロセッサー（ａｐｐｌｉｃａｔｉｏｎ ｐｒｏｃｅｓｓｏｒ、ＡＰ）とにより共同で実現することができる。
【００３７】
無線受信回路２３１は、電磁信号を受信し、電磁信号を無線受信回路２３１の出力電圧及び出力電流に変換することができる。具体的には、無線受信回路２３１は、受信コイル又は受信アンテナ（図示せず）と、当該受信コイル及び受信アンテナに接続される整流回路及び/又はフィルタリング回路などの整形回路を含むことができる。受信アンテナ又は受信コイルは、電磁信号を交流に変換することができ、整形回路は、交流を無線受信回路２３１の出力電圧及び出力電流に変換することができる。なお、本発明の実施例は、整形回路の具体な形式及び整形回路により整形された後に取得される無線受信回路２３１の出力電圧及び出力電流の形式について具体的に限定しない。一部の実施例において、整形回路は、整流回路と、フィルタリング回路と、を含むことができ、無線受信回路２３１の出力電圧は、フィルタリングの後に取得される安定な電圧であってもよい。他の一部の実施例において、整形回路は、整流回路を含むことができ、無線受信回路２３１の出力電圧は、整流後に取得される脈動波形の電圧であってもよく、当該脈動波形の電圧は、充電対象機器２３０の電池２３２の両端に直接印加して電池２３２を充電する。なお、無線受信回路２３１の出力電流は、間欠の方式で電池２３２を充電することができ、当該無線受信回路２３１の出力電流の周期は、無線充電システム２００に入力される交流、例えば、交流グリッドの周波数に従って変化することができ、例えば、無線受信回路２３１の出力電流の周期に対応する周波数は、グリッドの周波数の整数倍又は逆数倍である。また、無線受信回路２３１の出力電流が間欠の方式で電池２３２を充電する場合、無線受信回路２３１の出力電流に対応する電流波形は、グリッドに同期する一つ又は一組のパルスにより構成されるものであってもよい。脈動形式の電圧/電流の大きさの周期的な変換は、従来の一定直流と比較すると、リチウム電池のリチウム析出現象を低減し、電池の使用寿命を向上させ、また、電池の分極効果を低減させ、充電速度を向上させ、電池の発熱を減少するのに有利であり、充電対象機器が充電される時の安全性と信頼性を保証する。
【００３８】
第１の充電経路２３３は、無線受信回路２３１の出力電圧及び出力電流を受信し、無線受信回路２３１の出力電圧及び出力電流に基づいて、電池２３２を充電することができる。本発明の実施例により提供される第１の充電経路２３３は、無線受信回路２３１の出力電圧及び出力電流に基づいて、電池２３２を直接充電することができる。例えば、第１の充電経路２３３は、導線であってもよい。また、例えば、充電対象機器２３２が複数の充電経路を含む場合、第１の充電経路２３３に、異なる充電経路間に切り替えるためのスイッチなどの素子（図６におけるスイッチ２３８を参照）を設置することができる。
【００３９】
検出回路２３４は、無線受信回路２３１の出力電圧及び/又は出力電流を検出することができる。一部の実施例において、検出回路２３４は、電圧検出回路と、電流検出回路と、を含むことができる。
【００４０】
電圧検出回路は、無線受信回路２３１の出力電圧をサンプリングし、サンプリングされた電圧値を第２の通信制御回路２３５に伝送することができる。一部の実施例において、電圧検出回路は、直列分圧の方式により無線受信回路２３１の出力電圧をサンプリングすることができる。
【００４１】
電流検出回路は、無線受信回路２３１の出力電流をサンプリングし、サンプリングされた電流値を第２の通信制御回路２３５に伝送することができる。一部の実施例において、電流検出回路は、電流検出抵抗及び検流計により無線受信回路２３１の出力電流をサンプリングすることができる。
【００４２】
無線送信回路２２１の送信電力が第１の通信制御回路２２２により調整されて、無線受信回路２３１の出力電圧及び/又は出力電流が電池２３２の現在の充電段階にマッチングされるように、第２の通信制御回路２３５は、検出回路２３４により検出された無線受信回路２３１の出力電圧及び/又は出力電流に基づいて、第１の通信制御回路２２２と無線通信することができる。
【００４３】
言い換えれば、無線送信回路２２１の送信電力が第１の通信制御回路２２２により調整されて、無線受信回路２３１の出力電圧及び/又は出力電流が電池２３２の充電ニーズ（充電電圧及び/又は充電電流に対する電池２３２のニーズを含む）を満たすように、第２の通信制御回路２３５は、検出回路２３４により検出された無線受信回路２３１の出力電圧及び/又は出力電流に基づいて、第１の通信制御回路２２２と無線通信することができる。
【００４４】
言い換えれば、無線送信回路２２１の送信電力が第１の通信制御回路２２２により調整されて、無線受信回路２３１の出力電圧及び/又は出力電流が、電池２３２のトリクル充電段階と、定電圧充電段階と、定電流充電段階とのうち、少なくとも一つの段階の充電ニーズを満たすように、第２の通信制御回路２３５は、検出回路２３４により検出された無線受信回路２３１の出力電圧及び/又は出力電流に基づいて、第１の通信制御回路２２２と無線通信することができる。
【００４５】
言い換えれば、第１の通信制御回路２２２が、無線送信回路２２１の送信電力を調整することにより、電池２３２の充電プロセスに対して定電圧及び/又は定電流の制御を行うように、第２の通信制御回路２３５は、検出回路２３４により検出された無線受信回路２３１の出力電圧及び/又は出力電流に基づいて、第１の通信制御回路２２２と無線通信することができる。
【００４６】
電池の充電プロセスは、トリクル充電段階と、定電流充電段階と、定電圧充電段階とのうち、少なくとも一つを含むことができる。
【００４７】
上記第１の通信制御回路２２２が、無線受信回路２３１の出力電圧及び/又は出力電流に基づいて、無線送信回路２２１の送信電力を調整するように、第２の通信制御回路２３５は、検出回路により検出された無線受信回路２３１の出力電圧及び/又は出力電流に基づいて、第１の通信制御回路２２２と無線通信するステップは、無線送信回路２２１の送信電力が第１の通信制御回路２２２により調整されて、無線受信回路２３１の出力電流がトリクル充電段階に対応する充電電流にマッチングされる（又は、無線受信回路２３１の出力電流が、電池２３２のトリクル充電段階における充電電流に対するニーズを満たす）ように、電池２３２のトリクル充電段階において、第２の通信制御回路２３５は、検出回路２３４により検出された無線受信回路２３１の出力電圧及び/又は出力電流に基づいて、第１の通信制御回路２２２と無線通信するステップを含むことができる。
【００４８】
トリクル充電段階に対応する充電電流が１Ａに等しい場合を例として説明する。電池２３２がトリクル充電段階にある場合、検出回路２３４により無線受信回路２３１の出力電流をリアルタイムに検出することができる。無線受信回路２３１の出力電流が１Ａより大きい場合、無線送信回路２２１の送信電力が第１の通信制御回路２２２により調整されて、無線受信回路２３１の出力電流が再び１Ａに戻るように、第２の通信制御回路２３５は、第１の通信制御回路２２２と通信することができる。
【００４９】
上記第１の通信制御回路２２２が、無線受信回路２３１の出力電圧及び/又は出力電流に基づいて、無線送信回路２２１の送信電力を調整するように、第２の通信制御回路２３５は、検出回路２３４により検出された無線受信回路２３１の出力電圧及び/又は出力電流に基づいて、第１の通信制御回路２２２と無線通信するステップは、電池２３２の定電圧充電段階において、無線送信回路２２１の送信電力が第１の通信制御回路２２２により調整されて、無線受信回路２３１の出力電圧が定電圧充電段階に対応する充電電圧にマッチングされる（又は、無線受信回路２３１の出力電圧が、電池２３２の定電圧充電段階における充電電圧に対するニーズを満たす）ように、第２の通信制御回路２３５は、検出回路２３４により検出された無線受信回路２３１の出力電圧及び/又は出力電流に基づいて、第１の通信制御回路２２２と無線通信するステップを含むことができる。
【００５０】
定電圧充電段階に対応する充電電圧が５Ｖに等しい場合を例として説明する。電池２３２が定電圧充電段階にある場合、検出回路により無線受信回路２３１の出力電圧をリアルタイムに検出することができる。無線受信回路２３１の出力電圧が５Ｖより小さい場合、無線送信回路２２１の送信電力が第１の通信制御回路２２２により調整されて、無線受信回路２３１の出力電圧が再び５Ｖに戻るように、第２の通信制御回路２３５は、第１の通信制御回路２２２と通信することができる。無線受信回路２３１の出力電圧が変化する原因は、複数ある可能性が存在するが、本発明の実施例は、これについて具体的に限定しない。例えば、無線送信回路２２１と無線受信回路２３１との間の電磁信号の伝送が妨害されることにより、エネルギーの変換効率が低下し、したがって、無線受信回路２３１の出力電圧が５Ｖ未満になる。
【００５１】
上記第１の通信制御回路２２２が、無線受信回路２３１の出力電圧及び/又は出力電流に基づいて、無線送信回路２２１の送信電力を調整するように、第２の通信制御回路２３５は、検出回路により検出された無線受信回路２３１の出力電圧及び/又は出力電流に基づいて、第１の通信制御回路２２２と無線通信するステップは、無線送信回路２２１の送信電力が第１の通信制御回路２２２により調整されて、無線受信回路２３１の出力電流が、定電流充電段階に対応する充電電流にマッチングされる（又は、無線受信回路２３１の出力電流が、電池２３２の定電流充電段階における充電電流に対するニーズを満たす）ように、電池２３２の定電流充電段階において、第２の通信制御回路２３５は、検出回路２３４により検出された無線受信回路２３１の出力電圧及び/又は出力電流に基づいて、第１の通信制御回路２２２と無線通信するステップを含むことができる。
【００５２】
定電流充電段階に対応する充電電流が２Ａに等しい場合を例として説明する。電池２３２が定電流充電段階にある場合、検出回路により無線受信回路２３１の出力電流をリアルタイムに検出することができる。無線受信回路２３１の出力電流が２Ａより低い場合、無線送信回路２２１の送信電力が第１の通信制御回路２２２により調整されて、無線受信回路２３１の出力電流が再び２Ａに戻るように、第２の通信制御回路２３５は、第１の通信制御回路２２２と通信することができる。無線受信回路２３１の出力電流が変化する原因は、複数ある可能性が存在するが、本発明の実施例は、これについて具体的に限定しない。例えば、無線送信回路２２１と無線受信回路２３１との間の電磁信号の伝送が妨害されることにより、エネルギーの変換効率が低下し、したがって、無線受信回路２３１の出力電流が２Ａ未満になる。
【００５３】
なお、本発明の実施例において言及される定電流充電段階又は定電流段階は、充電電流が完全に一定不変に維持されることを要求するものではなく、例えば、充電電流のピーク値又は平均値が一定時間内に不変に維持されることを広く指す。実際には、定電流充電段階が通常多段式定電流の方式で充電を行う。
【００５４】
多段式定電流充電（Ｍｕｌｔｉ−ｓｔａｇｅ  ｃｏｎｓｔａｎｔ  ｃｕｒｒｅｎｔ  ｃｈａｒｇｉｎｇ）は、Ｎ個の定電流段階（Ｎは、２以上の整数である）を有してもよい。多段式定電流充電は、所定充電電流で第１段階の充電を開始し、前記多段式定電流充電のＮ個の定電流段階は、第１段階から第（Ｎ-１）段階まで順次に実行され、定電流段階における前の定電流段階が次の定電流段階に変換された後、脈動波形の電流ピーク又は平均値が小さくなることができ、電池電圧が充電終止電圧の閾値に達した場合に、定電流段階における前の定電流段階は次の定電流段階に変換される。隣り合う２つの定電流段階間の電流変換過程は、漸次に変化してもよく、又は階段式飛躍的に変化してもよい。
【００５５】
本発明の実施例において使用される充電対象機器は、端末を指してもよい。当該「端末」は、有線（例えば、公衆交換電話網（ｐｕｂｌｉｃ  ｓｗｉｔｃｈｅｄ  ｔｅｌｅｐｈｏｎｅ  ｎｅｔｗｏｒｋ、  ＰＳＴＮ）、デジタル加入者線（ｄｉｇｉｔａｌ  ｓｕｂｓｃｒｉｂｅｒ  ｌｉｎｅ，ＤＳＬ）、デジタルケーブル、直接ケーブル及び/又は他のデータ接続/ネットワーク）を介して接続されること及び/又は（例えば、セルラーネットワーク、無線ローカルエリアネットワーク（ｗｉｒｅｌｅｓｓ  ｌｏｃａｌ  ａｒｅａ  ｎｅｔｗｏｒｋ，ＷＬＡＮ）、ＤＶＢ−Ｈ（ｄｉｇｉｔａｌ ｖｉｄｅｏ ｂｒｏａｄｃａｓｔｉｎｇ ｈａｎｄｈｅｌｄ）ネットワークのようなデジタルテレビネットワーク、衛星ネットワーク、ＡＭ−ＦＭ（ａｍｐｌｉｔｕｄｅ ｍｏｄｕｌａｔｉｏｎ−ｆｒｅｑｕｅｎｃｙ ｍｏｄｕｌａｔｉｏｎ）放送送信器、及び/又はもう一つの通信端末の）無線インタフェースを介して通信信号を送信・受信する装置を含むが、これらに限定されない。無線インタフェースを介して通信するように設置される端末は、「無線通信端末」、「無線端末」及び/又は「携帯端末」と称されてもよい。携帯端末の例は、衛星又はセルラー電話と、セルラー無線電話とデータ処理、ファックス及びデータ通信能力を組み合わせるパーソナル通信システム（ｐｅｒｓｏｎａｌ ｃｏｍｍｕｎｉｃａｔｉｏｎ ｓｙｓｔｅｍ、ＰＣＳ）端末と、無線電話、ポケベル、インターネット/イントラネットアクセス、Ｗｅｂブラウザ、ノートブック、カレンダー及び/又はグローバル・ポジショニング・システム（ｇｌｏｂａｌ ｐｏｓｉｔｉｏｎｉｎｇ ｓｙｓｔｅｍ、ＧＰＳ）受信器を含む個人用の携帯情報端末 (ｐｅｒｓｏｎａｌ ｄｉｇｉｔａｌ ａｓｓｉｓｔａｎｔ、ＰＤＡ)と、従来のラップトップ及び/又はバーム受信器又は無線電話トランシーバーを含む他の電子装置と、を含むが、これらに限定されない。なお、本発明の実施例において使用される充電対象機器又は端末は、モバイルバッテリー（ｐｏｗｅｒ ｂａｎｋ）をさらに含むことができ、当該モバイルバッテリーは、アダプターの充電を受け入れて、エネルギーを貯蓄して他の電子装置にエネルギーを提供することができる。
【００５６】
本発明の実施例は、無線充電装置２２０と充電対象機器２３０との間の通信方式及び通信順序について具体的に限定しない。
【００５７】
選択可能には、一部の実施例において、無線充電装置２２０と充電対象機器２３０（又は第２の通信制御回路２３５と第１の通信制御回路２２２）との間の無線通信は、単方向の無線通信であってもよい。例を挙げて説明すると、電池２３２の無線充電プロセスにおいて、充電対象機器２３０が通信の発信側であり、無線充電装置２２０が通信の受信側であると規定することができる。例えば、電池の定電流充電段階において、充電対象機器２３０が、検出回路２３４により電池２３２の充電電流（即ち無線受信回路２３１の出力電流）をリアルタイムに検出することができ、電池２３２の充電電流が電池の現在の出力の充電段階にマッチングされていない場合、充電対象機器２３０は、無線充電装置２２０に調整情報を送信し、無線充電装置２２０に無線送信回路２２１の送信電力を調整するように指示する。
【００５８】
選択可能には、一部の実施例において、無線充電装置２２０と充電対象機器２３０（又は第２の通信制御回路２３５と第１の通信制御回路２２２）との間の無線通信は、双方向の無線通信であってもよい。双方向の無線通信は、一般的には、受信側が発信側により発信される通信要求を受信した後、発信側に応答情報を送信するように要求され、双方向通信メカニズムは、通信プロセスをより安全なものにすることができる。
【００５９】
本発明の実施例の上記説明は、無線充電装置２２０（無線充電装置２２０における第１の通信制御回路２２２）と充電対象機器２３０（充電対象機器２３０における第１の通信制御回路２３５）とのマスタースレーブについて限定しない。言い換えれば、無線充電装置２２０と充電対象機器２３０とのうち、いずれもマスター機器側として双方向通信セッションを開始することができ、相応的に、他方がスレーブ機器側としてマスター機器側が開始する通信に対して第１応答又は第１返信を出す。一種の実行可能な方式として、通信プロセスにおいて、無線充電装置２２０と充電対象機器２３０とのリンク状況を比較することにより、マスター及びスレーブ機器の身分を確認することができる。例えば、無線充電装置２２０が充電対象機器２３０に情報を送信する無線リンクがアップリンクであると想定すると、充電対象機器２３０が無線充電装置２２０に情報を送信する無線リンクがダウンリンクである。アップリンクのリンク品質が比較的良い場合、無線充電装置２２０を通信のマスター機器として設定することができ、ダウンリンクのリンク品質が比較的良い場合、充電対象機器２３０を通信のスレーブ機器として設定することができる。
【００６０】
本発明の実施例は無線充電装置２２０と充電対象機器２３０との間の双方向通信について具体的に限定しない。すなわち、無線充電装置２２０と充電対象機器２３０とのうち、いずれか一方がマスター機器側として通信セッションを開始し、相応的に、他方がスレーブ機器側として、マスター機器側が開始する通信セッションに対して第１応答又は第１返信を出すと同時に、マスター機器側は、前記スレーブ機器側からの第１応答又は第１返信に対して第２応答を出すことができれば、マスター及びスレーブ機器の間で一回の通信ネゴシエーションプロセスが完成されたと考えてもよい。
【００６１】
マスター機器側として、前記スレーブ機器側の通信セッションに対する第１応答又は第１返信に応じて第２応答を出すことができる一つの方式は、マスター機器側が前記スレーブ機器側の通信セッションに対して出した第１応答又は第１返信を受信し、受信された前記スレーブ機器の第１応答又は第１返信に応じて対応性のある第２応答を出すことができることであってもよい。
【００６２】
マスター機器側として、前記スレーブ機器側の通信セッションに対する第１応答又は第１返信に応じて、更なる第２応答を出すことができる一つの方式は、マスター機器側が所定の時間内に前記スレーブ機器側の通信セッションに対する第１応答又は第１返信を受信せずとも、マスター機器側が前記スレーブ機器の第１応答又は第１返信に対して対応性のある第２応答を出すことであってもよい。
【００６３】
選択可能には、一部の実施例において、当充電対象機器２３０がマスター機器として、通信セッションを開始する場合に、無線充電装置２２０がスレーブ機器として、マスター機器側が開始する通信セッションに対して第１応答又は第１返信を出した後、充電対象機器２３０が無線充電装置２２０の第１応答又は第１返信に対して対応性のある第２応答を出さなくとも、無線充電装置２２０と充電対象機器２３０の間で一回の通信ネゴシエーションプロセスが完成されたと考えてもよい。
【００６４】
本発明の実施例は、無線充電装置２２０における第１の通信制御回路２２２と充電対象機器２３０における第２の通信制御回路２３５との間の無線通信方式について具体的に限定しない。例を挙げて説明すると、第１の通信制御回路及び第２の通信制御回路は、ブルートゥース（Ｂｌｕｅｔｏｏｔｈ）、ワイファイ（ｗｉｒｅｌｅｓｓ ｆｉｄｅｌｉｔｙ、Ｗｉ-Ｆｉ）又は後方散乱（ｂａｃｋｓｃａｔｔｅｒ）変調方式（又は電力負荷変調方式）に基づいて無線通信することができる。
【００６５】
以上は、無線充電プロセスにおいて、第１の通信制御回路２２２が無線送信回路２２１の送信電力を調整するように、第２の通信制御回路２３５は、検出回路２３４により検出された無線受信回路２３１の出力電圧及び/又は出力電流に基づいて、第１の通信制御回路２２２と無線通信することができることを指摘したが、本発明の実施例は、第２の通信制御回路２３５と第１の通信制御回路２２２との間の通信内容について具体的に限定しない。
【００６６】
一例として、第２の通信制御回路２３５は、第１の通信制御回路２２２に検出回路２３４により検出された無線受信回路２３１の出力電圧及び/又は出力電流を送信することができる。さらに、第２の通信制御回路２３５は、第１の通信制御回路２２２に、充電対象機器２３０における電池２３２の現在の電気量及び/又は現在の電圧が含まれる電池状態情報を送信することもできる。第１の通信制御回路２２２は、まず、電池２３２の状態情報に基づいて、電池２３２の現在の充電段階を決定し、電池２３２の現在の充電段階にマッチングされる目標充電電圧及び/又は目標充電電流を決定することができ、その後、第１の通信制御回路２２２は、第２の通信制御回路２３５から送信される無線受信回路２３１の出力電圧及び/又は出力電流と、上記目標充電電圧及び/又は目標充電電流とを比較して、無線受信回路２３１の出力電圧及び/又は出力電流が電池２３２の現在の充電段階にマッチングされているか否かを決定することができ、無線受信回路２３１の出力電圧及び/又は出力電流が、電池２３２の現在の充電段階にマッチングされていない場合、無線受信回路２３１の出力電圧及び/又は出力電流が、電池２３２の現在の充電段階にマッチングされるまで、無線送信回路２２１の送信電力を調整する。
【００６７】
他の一例として、第２の通信制御回路２３５は、第１の通信制御回路２２２に無線送信回路２２１の送信電力を調整するように指示するために、第１の通信制御回路２２２に調整情報を送信することができる。例えば、第２の通信制御回路２３５は、第１の通信制御回路２２２に無線送信回路２２１の送信電力を増大するように指示することができ、また、例えば、第２の通信制御回路２３５は、第１の通信制御回路２２２に無線送信回路２２１の送信電力を減少するように指示することができる。さらに、具体的には、無線充電装置２２０は、無線送信回路２２１に送信電力の複数のレンジを設置することができ、無線受信回路２３１の出力電圧及び/又は出力電流が電池２３２の現在の充電段階にマッチングされるまで、第１の通信制御ユニット２２２は、調整情報を受信するたびに、無線送信回路２２１の送信電力のレンジを一段調整する。
【００６８】
上記通信内容のほか、第１の通信制御回路２２２と第２の通信制御回路２３５との間には、さらに、他の様々な通信情報をインタラクションすることもできる。一部の実施例において、第１の通信制御回路２２２と第２の通信制御回路２３５との間には、例えば、電池２３２の温度情報、過電圧保護又は過電流保護に入る指示情報等の情報、電力伝送効率情報（当該電力伝送効率情報は、無線送信回路２２１と無線受信回路２３１との間の電力伝送効率を指示することができる）のような安全保護、異常検出又は故障処理の情報をインタラクションすることができる。
【００６９】
例えば、電池２３２の温度が高すぎる場合、第１の通信制御回路２２２及び/又は第２の通信制御回路２３５は、保護状態に入るように充電回路を制御することができ、例えば、無線充電を停止するように充電回路を制御する。また、例えば、第１の通信制御回路２２２が第２の通信制御回路２３５により送信される過電圧保護又は過電流保護の指示情報を受信した後、第１の通信制御回路２２２は、送信電力を低下させ、又は作動を停止するように無線送信回路２２１を制御することができる。また、例えば、第１の通信制御回路２２２が第２の通信制御回路２３５により送信される電力伝送効率情報を受信した後、電力伝送効率が予め設定された閾値より低い場合、作動を停止するように無線送信回路２２１を制御し、ユーザにこのイベントを通知することができ、例えば、ユーザが無線充電の環境を調整しやすいように、表示画面により電力伝送効率が低すぎる旨を表示し、又はインジケータにより電力伝送効率が低すぎる旨を指示することができる。
【００７０】
一部の実施例において、第１の通信制御回路２２２と第２の通信制御回路２３５との間には、例えば、電池２３２の温度情報、無線受信回路２３１の出力電圧及び/又は出力電流のピーク値又は平均値を指示する情報、電力伝送効率情報（当該電力伝送効率情報は、無線送信回路２２１と無線受信回路２３１との間の電力伝送効率を指示することができる）などのような無線送信回路２２１の送信電力を調整可能な他の情報をインタラクションすることができる。
【００７１】
例えば、第２の通信制御回路２３５は、第１の通信制御回路２２２に電力伝送効率情報を送信することができ、第１の通信制御回路２２２は、さらに、電力伝送効率情報に基づいて、無線送信回路２２１の送信電力の調整幅を決定する。具体的には、電力伝送効率情報が、無線送信回路２２１と無線受信回路２３１との間の電力伝送効率が低い旨を指示する場合、無線送信回路２２１の送信電力が急速に目標電力に達するように、第１の通信制御回路２２２は、無線送信回路２２１の送信電力の調整幅を増大することができる。
【００７２】
また、例えば、無線受信回路２３１により出力されるのが脈動波形の電圧及び/又は電流である場合、第２の通信制御回路２３５は、第１の通信制御回路２２２に、無線受信回路２３１の出力電圧及び/又は出力電流のピーク値又は平均値を指示する情報を送信することができ、第１の通信制御回路２２２は、無線受信回路２３１の出力電圧及び/又は出力電流のピーク値又は平均値が、電池の現在の充電段階にマッチングされるか否かを判断することができ、マッチングされていない場合、無線送信回路２２１の送信電力を調整することができる。
【００７３】
また、例えば、第２の通信制御回路２３５は、第１の通信制御回路２２２に電池２３２の温度情報を送信することができ、電池２３２の温度が高すぎる場合、第１の通信制御回路２２２は、無線送信回路２２１の送信電力を低下させて、無線受信回路２３１の出力電流を低下させることにより、電池２３２の温度を低下させる。
【００７４】
図３に示すように、本発明の実施例により提供される無線充電装置２２０は、充電インターフェース２２３をさらに含むことができる。無線送信回路２２１は、さらに、充電インターフェース２２３を介して電源供給機器２１０の出力電圧及び出力電流を受信し、電源供給機器２１０の出力電圧及び出力電流に基づいて、電磁信号を生成することができる。
【００７５】
本発明の実施例は、電源供給機器２１０の種類について具体的に限定しない。例えば、電源供給機器２１０は、アダプター、モバイルバッテリー（ｐｏｗｅｒ ｂａｎｋ）又はコンピュータなどの機器であってもよい。
【００７６】
本発明の実施例は、充電インターフェース２２３の種類について具体的に限定しない。選択可能には、一部の実施例において、当該充電インターフェース２２３は、ＵＳＢインターフェースであってもよい。当該ＵＳＢインターフェースは、例えば、ＵＳＢ  ２．０インターフェース、ｍｉｃｒｏ ＵＳＢインターフェース又はＵＳＢ ＴＹＰＥ-Ｃインターフェースであってもよい。選択可能には、他の一部の実施例において、当該充電インターフェース２２３は、ｌｉｇｈｔｎｉｎｇインターフェース、又は他の任意種類の充電可能なパラレルポート及び/又はシリアルポートであってもよい。
【００７７】
本発明の実施例は、第１の通信制御回路２２２と電源供給機器２１０との間の通信方式について具体的に限定しない。一例として、第１の通信制御回路２２２は、充電インターフェース以外の他の通信インターフェースを介して電源供給機器２１０と接続し、当該通信インターフェースを介して電源供給機器２１０と通信することができる。他の一例として、第１の通信制御回路２２２は、無線の方式により電源供給機器２１０と通信することができる。例えば、第１の通信制御回路２２２は、電源供給機器２１０と近距離無線通信（ｎｅａｒ ｆｉｅｌｄ ｃｏｍｍｕｎｉｃａｔｉｏｎ、ＮＦＣ）することができる。また、他の一例として、第１の通信制御回路２２２は、追加の通信インターフェース又は他の無線通信モジュールを設置することなく、充電インターフェース２２３を介して電源供給機器２１０と通信することができ、このように無線充電装置２２０の実装を簡素化することができる。例えば、充電インターフェース２２３は、ＵＳＢインターフェースであり、第１の通信制御回路２２２は、電源供給機器２１０と当該ＵＳＢインターフェースにおけるデータ線（例えば、Ｄ＋及び/又はＤ−線）により通信することができる。また、例えば、充電インターフェース２２３は、ＰＤ（ｐｏｗｅｒ ｄｅｌｉｖｅｒｙ）通信プロトコルをサポートするＵＳＢインターフェース（例えば、ＵＳＢ ＴＹＰＥ−Ｃインターフェース）であってもよく、第１の通信制御回路２２２は、電源供給機器２１０とＰＤ通信プロトコルにより通信することができる。
【００７８】
なお、電源供給機器２１０は、出力電力が一定不変の通常の電源供給機器であってもよいし、本発明の実施例により提供される、出力電力が調整可能な電源供給機器であってもよい。出力電力が調整可能な電源供給機器の内部には、電圧フィードバックループ及び電流フィードバックループを設置することができ、実際のニーズに応じて、その出力電圧及び/又は出力電流を調節することができる（以下は、主として電源供給機器２１０が、出力電力が調整可能な電源供給機器であることを例として説明する）。さらに、当該電源供給機器２１０は、通信機能をさらに有することができ、第１の通信制御回路２２１は、さらに、電源供給機器２１０の出力電力をネゴシエーションするために、電源供給機器２１０と通信することができる。
【００７９】
以上は、本発明の実施例により提供される無線充電装置２２０が、充電プロセスにおいて、無線受信回路２３１の出力電圧及び/又は出力電流が電池２３２の現在の充電段階にマッチングされるように、絶えずに無線送信回路２２１の送信電力を調整することができることをすでに指摘した。本発明の実施例は、無線送信回路２２１の送信電力の調整方式について具体的に限定しない。例えば、第１の通信制御回路２２２は、電源供給機器２１０の出力電圧及び/又は出力電流を調整することにより、無線送信回路２２１の送信電力を調整するように、電源供給機器２１０と通信することができる。また、例えば、無線送信回路２２１の送信電力を調整するように、第１の通信制御回路２２２は、無線送信回路２２１が電源供給機器２１０により提供される最大出力電力から抽出する電力量を、調整することができる。無線送信回路２２１の送信電力の調整方式について、図４及び図５を参照して以下に詳しく説明する。
【００８０】
図４を参照して、選択可能には、一実施例として、第１の通信制御回路２２１は、電源供給機器２１０の最大出力電力をネゴシエーションするように、電源供給機器２１０と通信することができる。無線送信回路２２１が電源供給機器２１０の最大出力電力に基づいて充電対象機器２３０を無線充電するプロセスにおいて、無線送信回路２２１の送信電力を調整するように、第１の通信制御回路２２２は、無線送信回路２２１が最大出力電力から抽出する電力量を、調整することができる。
【００８１】
本発明の実施例において、当該電源供給機器２１０の最大出力電力をネゴシエーションするように、第１の通信制御回路２２２は、出力電力が調整可能な電源供給機器２１０と通信する。ネゴシエーションを完成した後、電源供給機器２１０は、当該最大出力電力に基づいて、無線充電装置２２０に出力電圧及び出力電流を提供することができる。充電プロセスにおいて、第１の通信制御回路２２２は、実際のニーズに応じて当該最大出力電力から一定の電力量を抽出して無線充電を行うことができる。つまり、本発明の実施例は、無線送信回路２２１の送信電力調整の制御権限を第１の通信制御回路２２２に分配し、第１の通信制御回路２２２は、充電対象機器２３０のフィードバック情報を受信した後、直ちに無線送信回路２２１の送信電力を調整し、調節の速度が速い、効率が高いとの利点を有する。
【００８２】
本発明の実施例は、第１の通信制御回路２２２の無線送信回路２２１の送信電力に対する調整方式について具体的に限定しない。例えば、第１の通信制御回路２２２の内部、無線送信回路２２１の内部又は第１の通信制御回路２２２と無線送信回路２２１との間に、電力調整回路を設置することができ、当該電力調整回路は、送信コイル又は送信アンテナに接続し、送信コイル又は送信アンテナが受信した電力を調整することができる。当該電力調整回路は、例えば、パルス幅変調（ｐｕｌｓｅ ｗｉｄｔｈ ｍｏｄｕｌａｔｉｏｎ、ＰＷＭ）コントローラと、スイッチユニットとを含むことができる。第１の通信制御回路２２２は、ＰＷＭコントローラが発する制御信号のデューティ比を調整することにより、及び/又はスイッチユニットのスイッチング周波数を制御することにより、無線送信回路２２１の送信電力を調整することができる。
【００８３】
なお、図４の実施例において、代替方式の一種として、電源供給機器２１０は、直接的に、出力電力が一定であり、かつ出力電力が比較的大きい（例えば、４０Ｗ）電源供給機器であってもよい。そうすると、第１の通信制御回路２２２は、電源供給機器２１０とその最大出力電力をネゴシエーションすることなく、無線送信回路２２１が電源供給機器２１０により提供される一定の電力から抽出する電力量を直接に調整すればよい。
【００８４】
図５を参照して、選択可能には、他の一部の実施例において、第１の通信制御回路２２１は、電源供給機器２１０の出力電圧及び/又は出力電流を調整することにより、無線送信回路２２１の送信電力を調整するように、電源供給機器２１０と通信することができる。さらに、一部の実施例において、第１の通信制御回路２２２は、無線送信回路２２１に接続することができ、作動を開始するように無線送信回路２２１を制御し、又は無線充電プロセスが異常を生じる場合、作動を停止するように無線送信回路２２１を制御することができる。又は、一部の実施例において、第１の通信制御回路２２２は、無線送信回路２２１に接続されなくてもよい。
【００８５】
図５の実施例は、図４の実施例と異なり、無線送信回路２２１の送信電力調整の制御権限を電源供給機器２１０に分配し、電源供給機器２１０は、出力電圧及び/又は出力電流を変更する方式により無線送信回路２２１の送信電力を調整する。このような調整方式の利点は、無線充電装置２２０の必要とする電力の分だけ、電源供給機器２１０が提供するので、電力の浪費が存在しないことである。
【００８６】
図５の実施例において、無線充電装置２２０は、電源供給機器２１０の出力電圧及び/又は出力電流を調整するか否かを自発的に決定することができる。他の一部の実施例において、無線充電装置２２０は、電源供給機器２１０と充電対象機器２３０との間の通信のブリッジとして、主に両者間の情報転送の役割を果たしている。
【００８７】
例えば、無線充電のプロセスにおいて、第１の通信制御回路２２２は、電源供給機器２１０の出力電圧及び/又は出力電流を調整する必要があるか否かを決定するように、充電対象機器２３０と通信する。電源供給機器２１０の出力電圧及び/又は出力電流を調整する必要がある場合、電源供給機器２１０に電源供給機器２１０の出力電圧及び/又は出力電流を調整するように指示するために、第１の通信制御回路２２２は電源供給機器２１０と通信する。
【００８８】
また、例えば、無線充電のプロセスにおいて、無線充電装置２２０内部の通信制御回路２２２は、充電対象機器２３０と無線通信して、電源供給機器２１０の出力電圧及び/又は出力電流を調整するように指示するための調整情報を取得する。電源供給機器２１０が調整情報に基づいて、電源供給機器の出力電圧及び/又は出力電流を調整するように、第１の通信制御回路２２２は、電源供給機器２１０と通信して、調整情報を電源供給機器２１０に送信する。
【００８９】
なお、無線充電装置２２０と充電対象機器２３０との間の通信方式と同様に、無線充電装置２２０（又は第１の通信制御回路２２２）と電源供給機器２１０との間の通信は、単方向通信であってもよいし、双方向通信であってもよく、本発明の実施例は、これについて具体的に限定しない。
【００９０】
なお、電源供給機器の出力電流は、一定直流、脈動直流又は交流であってもよく、本発明の実施例は、これについて具体的に限定しない。
【００９１】
以上は、無線充電装置２２０が電源供給機器２１０に接続され、電源供給機器２１０から電力を取得することを例示して説明したが、本発明の実施例は、これに限定せず、無線充電装置２２０は、アダプターと同様な機能をその内部に集積してもよく、これによって、外部から入力される交流（例えば、商用電源）を上記電磁信号に直接に変換することができる。例を挙げて説明すると、アダプターの機能を無線充電装置２２０の無線送信回路２２１に集積することができ、例えば、無線送信回路２２１に整流回路、一次フィルタリング回路及び/又はトランスなどを集積することができる。そうすると、無線送信回路２２１は、外部から入力される交流（例えば、２２０Ｖの交流、商用電源ともいう）を受信し、当該交流に基づいて電磁信号を生成することができる。
【００９２】
本発明の実施例は、無線充電装置２２０の内部にアダプターと同様な機能を集積して、該無線充電装置２２０が外部の電源供給機器から電力を取得する必要がなく、無線充電装置２２０の集積度を向上させ、無線充電プロセスを実現するのに要する素子の数を減少させる。
【００９３】
選択可能には、一部の実施例において、無線充電装置２２０は、第１の無線充電モード及び第２の無線充電モードをサポートすることができ、無線充電装置２２０が第１の無線充電モードで充電対象機器２３０への充電速度は、無線充電装置２２０が第２の無線充電モードで充電対象機器２３０への充電速度より速い。言い換えれば、第２の無線充電モードで作動する無線充電装置２２０と比較すると、第１の無線充電モードで作動する無線充電装置２２０が同じ容量の充電対象機器２３０における電池を充満するのに消耗する時間はより短い。
【００９４】
第２の無線充電モードは、通常の無線充電モードと称すことができ、例えば、ＱＩ規格、ＰＭＡ規格又はＡ４ＷＰ規格に基づく従来の無線充電モードであってもよい。第１の無線充電モードは、急速無線充電モードであってもよい。当該通常の無線充電モードは、無線充電装置２２０の送信電力が比較的小さい（通常１５Ｗより小さく、慣用の送信電力が５Ｗ又は１０Ｗである）無線充電モードを指すことができ、通常の無線充電モードで、容量が比較的大きい電池（例えば、３０００ｍＡｈ容量の電池）を完全に充満しようとするのなら、一般的には数時間がかかる。急速無線充電モードでは、無線充電装置２２０の送信電力が比較的大きい（通常１５Ｗ以上である）。通常の無線充電モードと比較すると、無線充電装置２２０が急速無線充電モードで同じ容量の電池を完全に充満するのに要する充電時間は、明らかに短縮することができ、充電速度がさらに速くなる。
【００９５】
選択可能には、一部の実施例において、第１の無線充電モードにおける無線充電装置２２０の送信電力を制御するように、第１の通信制御回路２２２が、第２の通信制御回路２３５と双方向通信する。
【００９６】
さらに、一部の実施例において、第１の無線充電モードにおける無線充電装置２２０の送信電力を制御するように、第１の通信制御回路２２２が、第２の通信制御回路２３５と双方向通信することができるプロセスは、無線充電装置２２０と充電対象機器２３０との間の無線充電モードをネゴシエーションするように、第１の通信制御回路２２２が、第２の通信制御回路２３５と双方向通信するステップを含むことができる。
【００９７】
具体的には、第１の通信制御回路２２２は、第２の通信制御回路２３５とハンドシェイク通信を行うことができ、ハンドシェイク通信が成功された場合、第１の無線充電モードで充電対象機器２３０を充電するように無線充電装置２２０を制御し、ハンドシェイク通信が失敗された場合、第２の無線充電モードで充電対象機器２３０を充電するように無線充電装置２２０を制御する。
【００９８】
ハンドシェイク通信は、通信する双方の互いの身分に対する認識を指すことができる。ハンドシェイク通信の成功は、無線充電装置２２０と充電対象機器２３０とが、いずれも本発明の実施例により提供される送信電力が調整可能な無線充電方式をサポートすることを示すことができる。ハンドシェイク通信の失敗は、無線充電装置２２０と充電対象機器２３０とのうち、少なくとも一方が本発明の実施例により提供される送信電力が調整可能な無線充電方式をサポートしないことを示すことができる。
【００９９】
本発明の実施例において、無線充電装置２２０は、盲目的に第１の無線充電モードで充電対象機器２３０に対して急速無線充電を行うのではなく、充電対象機器２３０と双方向通信して、無線充電装置２２０が第１の無線充電モードで充電対象機器２３０に対して急速無線充電を行うことができるか否かをネゴシエーションする。このようにして、充電プロセスの安全性を向上させることができる。
【０１００】
具体的には、無線充電装置２２０と充電対象機器２３０との間の無線充電モードをネゴシエーションするように、第１の通信制御回路２２２が、第２の通信制御回路２３５と双方向通信するステップは、第１の通信制御回路２２２が、第２の通信制御回路２３５に、充電対象機器２３０が第１の無線充電モードをオンにするか否かを問い合わせるための第１の命令を送信するステップと、第１の通信制御回路２２２が、第２の通信制御回路２３５により送信される、充電対象機器２３０が第１の無線充電モードをオンにすることに同意するか否かを示すための前記第１の命令に対する返答命令を受信するステップと、充電対象機器２３０が、第１の無線充電モードをオンにすることに同意した場合、第１の通信制御回路２２２が、第１の無線充電モードで充電対象機器２３０を充電するように無線充電装置２２０を制御するステップと、を含むことができる。
【０１０１】
通信ネゴシエーションの方式により無線充電モードを決定することに加えて、第１の通信制御回路２２２は、さらに、いくつか他の要素に基づいて、無線充電モードを選択又は切り替えることができ、例えば、第１の通信制御回路２２２は、さらに、電池２３２の温度に基づいて、第１の無線充電モード又は第２の無線充電モードで電池２３２を充電するように無線充電装置２２０を制御することができる。
【０１０２】
例えば、温度が所定の第１の閾値（例えば、５℃又は１０℃）より低い場合、第１の通信制御回路２２２は、第２の無線充電モードで通常充電を行うように無線充電装置２２０を制御することができ、温度が第１の閾値以上である場合、第１の通信制御回路２２２は、第１の無線充電モードで急速充電を行うように無線充電装置２２０を制御することができる。さらに、温度が高温閾値（例えば、５０℃）より高い場合、第１の通信制御回路２２２は、充電を停止するように無線充電装置２２０を制御することができる。
【０１０３】
なお、本発明の実施例により提供される送信電力が調整可能な無線充電方式は、電池２３２の充電段階における一つ又は複数の充電段階を制御することができる。例を挙げて説明すると、本発明の実施例により提供される送信電力が調整可能な無線充電方式は、主として電池２３２の定電流充電段階を制御することができる。他の実施例において、充電対象機器２３０が変換回路を保留することができ、電池がトリクル充電段階や定電圧充電段階にある場合、図１に示すような従来の無線充電方式により充電することができる。具体的には、電池２３２がトリクル充電段階や定電圧充電段階にある場合、充電対象機器２３０における変換回路は、トリクル充電段階や定電圧充電段階の充電ニーズを満たすように無線受信回路２３１の出力電圧及び出力電流を変換することができる。定電流充電段階と比較すると、電池２３２がトリクル充電段階や定電圧充電段階で受け入れる充電電力は比較的小さいので、充電対象機器２３０内部の変換回路の効率変換損失及び蓄熱量は、許容される。図６を参照して以下に詳しく説明する。
【０１０４】
図６に示すように、充電対象機器２３０は、第２の充電経路２３６をさらに含むことができる。第２の充電経路２３６には、変換回路２３７を設置することができる。変換回路２３７は、無線受信回路２３１の出力電流を受信し、無線受信回路２３１の出力電流を変換し、変換された電流に基づいて電池２３２を充電することができる。第２の通信制御回路２３５は、さらに、第１の充電経路２３３と第２の充電経路２３６との間の切り替えを制御することができる。例えば、図６に示すように、第１の充電経路２３３には、スイッチ２３８を設置することができ、第２の通信制御回路２３５は、当該スイッチ２３８のオン/オフを制御することにより、第１の充電経路２３３と第２の充電経路２３６との間の切り替えを制御することができる。
【０１０５】
例を挙げて説明すると、電池２３２がトリクル充電段階及び/又は定電圧充電段階にある場合、第２の通信制御回路２３５は、第２の充電経路２３６で電池２３２を充電するように制御することができ、電池の定電圧定電流プロセスは、変換回路２３７（例えば、充電ＩＣ）により制御することができる。電池２３２が定電流充電段階にある場合、第１の充電経路２３３で電池２３２を充電するように制御することができ、電池の定電流制御は、無線充電装置の送信電力に対する調整により実現することができる。変換回路２３７を保留することは、従来の無線充電方式との互換性をよりよくすることができる。
【０１０６】
なお、第１の充電経路２３３と第２の充電経路２３６との選択方法は、複数あってもよく、電池２３２の現在の充電段階に基づいて選択することに限定しない。
【０１０７】
選択可能には、一部の実施例において、第２の通信制御回路２３５は、第１の通信制御回路２２２とハンドシェイク通信を行うことができ、ハンドシェイク通信が成功された場合、作動するように第１の充電経路２３３を制御し、ハンドシェイク通信が失敗された場合、作動するように第２の充電経路２３６を制御する。
【０１０８】
ハンドシェイク通信は、通信する双方の互いの身分に対する認識を指すことができる。ハンドシェイク通信の成功は、無線充電装置２２０と充電対象機器２３０とが、いずれも本発明の実施例により提供される送信電力が調整可能な無線充電方式をサポートすることを示すことができる。ハンドシェイク通信の失敗は、無線充電装置２２０と充電対象機器２３０とのうち、少なくとも一方が本発明の実施例により提供される送信電力が調整可能な無線充電方式をサポートしないことを示すことができる。ハンドシェイク通信が失敗された場合、第２の充電経路２３６を介して、例えば、ＱＩ規格に基づく無線充電方式のような従来の無線充電方式により充電することができる。
【０１０９】
選択可能には、他の一部の実施例において、第２の通信制御回路２３５は、さらに、電池２３２の温度に基づいて、第１の充電経路２３３と第２の充電経路２３６との間の切り替えを制御することができる。
【０１１０】
例えば、温度が所定の第１の閾値（例えば、５℃又は１０℃）より低い場合、第２の通信制御回路２３５は、第２の充電経路２３６で通常充電を行うように制御することができ、温度が第１の閾値以上である場合、第２の通信制御回路２３５は、第１の充電経路２３３で急速充電を行うように制御することができる。さらに、温度が高温閾値（例えば、５０℃）より高い場合、第２の通信制御回路２３５は、無線充電を停止するように制御することができる。
【０１１１】
以上は、無線受信回路２３１の出力電流が、脈動直流であってもよく、このようにして電池２３２のリチウム析出現象を低減し、電池の使用寿命を向上させることができる。無線受信回路２３１により出力されるのが脈動直流である場合、第２の通信制御回路２３５は、検出回路２３４により脈動直流のピーク値又は平均値を検出して、脈動直流のピーク値又は平均値に基づいて後続の通信又は制御を行うことができる。
【０１１２】
検出回路２３４が脈動直流のピーク値を検出することを例として、図７に示すように、検出回路２３４は、サンプリング保持回路２３４１を含むことができ、サンプリング保持回路２３４１がサンプリング状態にある場合、サンプリング保持回路２３４１は、脈動直流をサンプリングし、サンプリング保持回路２３４１が保持状態にある場合、サンプリング保持回路２３４１は、脈動直流の電流のピーク値を保持する。第２の通信制御回路２３５は、さらに、サンプリング保持回路２３４１が保持状態にあるか否かを判断し、サンプリング保持回路２３４１が保持状態にあると判断された場合、サンプリング保持回路２３４１が保持している、脈動直流の電流のピーク値を収集する。
【０１１３】
選択可能には、一部の実施例において、サンプリング保持回路２３４１は、コンデンサを含むことができ、サンプリング保持回路２３４１は、サンプリング保持回路２３４１におけるコンデンサにより脈動直流の電流のピーク値を保持することができ、検出回路２３４は、放電回路２３４２をさらに含むことができ、第２の通信制御回路２３５は、サンプリング保持回路２３４１が保持状態からサンプリング状態へ変換されるように、放電回路２３４２によりサンプリング保持回路２３４１におけるコンデンサの両端の電荷を放出することができる。
【０１１４】
選択可能には、一部の実施例において、無線充電装置２２０は、外部インターフェースと、無線データ伝送回路をさらに含むことができ、当該外部インターフェースは、データ処理及び伝送機能を有する電子機器に接続することができ、当該外部インターフェースは、上記充電インターフェースであってもよいし、他のインターフェースであってもよい。第１の通信制御ユニット２２２は、さらに、前記外部インターフェースとデータ処理及び伝送機能を有する電子機器との接続プロセスにおいて、前記電子機器の出力電力に基づいて、充電対象機器２３０を無線充電することができる。無線データ伝送回路は、前記無線充電制御ユニットが前記電子機器の出力電力に基づいて前記充電対象機器２３０を無線充電するプロセスにおいて、無線リンクを介して前記電子機器に記憶されるデータを前記充電対象機器２３０に伝送し、又は無線リンクを介して前記充電対象機器に記憶されるデータを前記電子機器２３０に伝送する。前記無線データ伝送回路は、ＵＳＢプロトコル規格のデータ、ディスプレイポート（ｄｉｓｐｌａｙ ｐｏｒｔ、ＤＰ）プロトコル規格のデータ、モバイルハイディフィニションリンク（ｍｏｂｉｌｅ ｈｉｇｈ-ｄｅｆｉｎｉｔｉｏｎ ｌｉｎｋ ＭＨＬ）プロトコル規格のデータのうち、少なくとも一種のデータを伝送する。
【０１１５】
以下は、具体的な例を参照して本発明の実施例についてさらに詳しく説明する。図８では、無線充電装置が無線充電ベースであり、電源供給機器がアダプターであり、充電対象機器が携帯電話であることを例として説明する。なお、図８の例は、本発明の実施例を、例示される具体的な数値又は具体的な場面に限定するためのものではなく、単なる当業者の本発明の実施例についての理解を補助するためのものである。当業者は、提供される図８の例に基づいて、均等な修正又は変更をすることができるのは明らかであり、このような修正又は変更も本発明の実施例の範囲に含まれる。
【０１１６】
ステップ１：携帯電話が無線充電ベースと無線通信する。
【０１１７】
具体的には、携帯電話と無線充電ベースとの間の双方向通信の通信プロトコルは、メーカーによりカスタマイズすることができる。また、携帯電話と無線充電ベースとは、ブルートゥース、Ｗｉ-Ｆｉ、後方散乱変調方式により通信することができる。
【０１１８】
ステップ２：無線充電ベースがアダプターと有線の双方向通信を行う。
【０１１９】
具体的には、無線充電ベースとアダプターとの間の双方向通信の通信プロトコルは、メーカーによりカスタマイズすることができる。また、無線充電ベースとアダプターとは、ＵＳＢケ―ブルを介して通信することができる（例えば、ＵＳＢケ―ブルにおけるＤ＋及びＤ−データ線を介して通信する）。
【０１２０】
ステップ３：無線充電ベースがアダプターに接続され、アダプターとハンドシェイク通信を行う。
【０１２１】
具体的には、アダプターの種類及びアダプターが提供できる電力レベルを決定するように、無線充電ベースは、アダプターに接続された後、アダプターとハンドシェイク通信を行うことができる。
【０１２２】
ステップ４：無線充電ベースが携帯電話に接続され、携帯電話とハンドシェイク通信を行う。
【０１２３】
具体的には、携帯電話の種類を決定するように、ベースは、携帯電話に接続された後、携帯電話とハンドシェイク通信を行うことができ、また、携帯電話がサポートできる電力レベルを決定することもできる。
【０１２４】
ステップ５：無線充電ベースが、携帯電話とアダプターとハンドシェイクすることが成功した後、無線充電を開始する。
【０１２５】
携帯電話内部の無線受信回路は、電池を直接充電することができる。電池の現在の充電段階に基づいて、無線受信回路の出力電流又は出力電圧の調整が実行できるために、携帯電話内部の通信制御回路は、無線充電のプロセスにおいて、無線充電ベースとの通信を維持し、無線充電ベースに無線送信回路の送信電力をリアルタイムに調整するように指示することができる。例えば、携帯電話内部の通信制御回路は、電池の現在状態をリアルタイムに取得し、電池の現在状態に基づいて、無線充電装置にアダプターの出力電圧又は出力電流を調整するための調整情報を送信することができる。無線充電装置は、当該調整情報を受信した後、アダプターに出力電圧及び/又は出力電流を調整するように指示するために、アダプターと双方向通信することができる。
【０１２６】
なお、無線充電ベースが、携帯電話とアダプターのいずれか一方とのハンドシェイクが成功しない場合、無線充電ベースは、従来の無線充電方式により充電することができる。例えば、無線充電ベースは、ＱＩ規格に基づいて、５Ｗの電力（５Ｗは、ＱＩ規格における低電力レベルに対応する）で充電対象機器を無線充電することができる。
【０１２７】
以上は、図２〜図８を参照して本出願の装置の実施例について詳しく説明したが、図９〜図１１を参照して本出願の方法の実施例について以下に詳しく説明する。方法の実施例は、装置の実施例と互いに対応するため、詳しく説明されない部分は、上記各装置の実施例を参照することができる。
【０１２８】
図９は、本発明の一実施例により提供される無線充電方法の概略的なフローチャートである。図９の方法は、無線充電システム（例えば、上記の無線充電システム２００）により実行することができる。前記無線充電システムは、無線充電装置と、充電対象機器と、を含み、
前記無線充電装置は、
前記充電対象機器を無線充電するように、電磁信号を送信する無線送信回路を含み、
前記充電対象機器は、
電池と、
前記電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、を含み、
図９の方法は、
前記無線送信回路の送信電力が前記無線充電装置により調整されて、前記無線受信回路の出力電圧及び/又は出力電流が前記電池の現在の充電段階にマッチングされるように、前記充電対象機器が、前記検出回路により検出された前記無線受信回路の出力電圧及び/又は出力電流に基づいて、前記無線充電装置と無線通信するステップ９１０を含む。
【０１２９】
選択可能には、一部の実施例において、前記無線充電装置は、充電インターフェースをさらに含み、前記無線送信回路は、さらに、前記充電インターフェースを介して電源供給機器の出力電圧及び出力電流を受信し、前記電源供給機器の出力電圧及び出力電流に基づいて、前記電磁信号を生成する。
【０１３０】
選択可能には、一部の実施例において、図９の方法は、前記電源供給機器の出力電力をネゴシエーションするように、前記無線充電装置が、前記電源供給機器と通信するステップをさらに含むことができる。
【０１３１】
選択可能には、一部の実施例において、前記電源供給機器の出力電力をネゴシエーションするように、前記無線充電装置が、前記電源供給機器と通信するステップは、前記電源供給機器の最大出力電力をネゴシエーションするように、前記無線充電装置が、前記電源供給機器と通信するステップを含むことができる。前記無線送信回路の送信電力が前記無線充電装置により調整されるステップは、前記無線送信回路が、前記電源供給機器の最大出力電力に基づいて、前記充電対象機器を無線充電するプロセスにおいて、前記無線送信回路の送信電力を調整するように、前記無線充電装置が、前記無線送信回路が前記最大出力電力から抽出する電力量を調整するステップを含むことができる。
【０１３２】
選択可能には、一部の実施例において、前記無線送信回路の送信電力が前記無線充電装置により調整されるステップは、前記電源供給機器の出力電圧及び/又は出力電流を調整することにより、前記無線送信回路の送信電力を調整するように、前記無線充電装置が、前記電源供給機器と通信するステップを含むことができる。
【０１３３】
選択可能には、一部の実施例において、前記無線充電装置が前記無線送信回路の送信電力を調整するように、前記充電対象機器が、前記検出回路により検出された前記無線受信回路の出力電圧及び/又は出力電流に基づいて、前記無線充電装置と無線通信するステップは、前記充電対象機器が、前記無線充電装置に、前記電源供給機器の出力電圧及び/又は出力電流を調整するように前記無線充電装置に指示するための調整情報を送信するステップを含むことができる。
【０１３４】
選択可能には、一部の実施例において、前記電池の現在の充電段階は、トリクル充電段階と、定電圧充電段階と、定電流充電段階とのうち、少なくとも一つを含む。
【０１３５】
選択可能には、一部の実施例において、前記無線充電装置が、前記無線受信回路の出力電圧及び/又は出力電流に基づいて、前記無線送信回路の送信電力を調整するように、前記充電対象機器が、前記検出回路により検出された前記無線受信回路の出力電圧及び/又は出力電流に基づいて、前記無線充電装置と無線通信するステップは、前記電池の定電圧充電段階において、前記無線送信回路の送信電力が前記無線充電装置により調整されて、前記無線受信回路の出力電圧が前記定電圧充電段階に対応する充電電圧にマッチングされるように、前記充電対象機器が、前記検出回路により検出された前記無線受信回路の出力電圧及び/又は出力電流に基づいて、前記無線充電装置と無線通信するステップを含むことができる。
【０１３６】
選択可能には、一部の実施例において、前記無線充電装置が、前記無線受信回路の出力電圧及び/又は出力電流に基づいて、前記無線送信回路の送信電力を調整するように、前記充電対象機器が、前記検出回路により検出された前記無線受信回路の出力電圧及び/又は出力電流に基づいて、前記無線充電装置と無線通信するステップは、前記電池の定電流充電段階において、前記無線送信回路の送信電力が前記無線充電装置により調整されて、前記無線受信回路の出力電流が前記定電流充電段階に対応する充電電流にマッチングされるように、前記充電対象機器が、前記検出回路により検出された前記無線受信回路の出力電圧及び/又は出力電流に基づいて、前記無線充電装置と無線通信するステップを含むことができる。
【０１３７】
選択可能には、一部の実施例において、図９の方法は、前記無線充電装置が、電池状態情報に基づいて、前記無線送信回路の送信電力を調整するように、前記充電対象機器が、前記無線充電装置に、前記充電対象機器における電池の現在の電気量及び/又は現在の電圧を含む前記電池状態情報を送信するステップをさらに含むことができる。
【０１３８】
選択可能には、一部の実施例において、前記無線充電装置と前記充電対象機器との間の通信情報は、前記電池の温度情報と、前記無線受信回路の出力電圧及び/又は出力電流のピーク値又は平均値を示す情報と、過電圧保護又は過電流保護に入る指示情報と、前記無線送信回路と前記無線受信回路との間の電力伝送効率を示すための電力伝送効率情報とのうち、少なくとも一種を含む。
【０１３９】
選択可能には、一部の実施例において、前記通信情報は、前記電力伝送効率情報を含み、図９の方法は、前記無線充電装置が、前記電力伝送効率情報に基づいて、前記無線送信回路の送信電力の調整幅を決定するステップをさらに含むことができる。
【０１４０】
選択可能には、一部の実施例において、前記充電対象機器は、前記無線受信回路の出力電流を受信して、前記無線受信回路の出力電流を変換し、変換された電流に基づいて、前記電池を充電する変換回路が設置される第２の充電経路をさらに含み、図９の方法は、前記充電対象機器が、前記第１の充電経路と前記第２の充電経路との間の切り替えを制御するステップをさらに含むことができる。
【０１４１】
選択可能には、一部の実施例において、図９の方法は、前記充電対象機器と前記無線充電装置とがハンドシェイク通信を行い、前記ハンドシェイク通信が成功された場合、作動するように前記第１の充電経路を制御し、前記ハンドシェイク通信が失敗された場合、作動するように前記第２の充電経路を制御するステップをさらに含むことができる。
【０１４２】
選択可能には、一部の実施例において、図９の方法は、前記充電対象機器が、前記電池の温度に基づいて、前記第１の充電経路と前記第２の充電経路との間の切り替えを制御するステップをさらに含むことができる。
【０１４３】
選択可能には、一部の実施例において、前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速い。
【０１４４】
選択可能には、一部の実施例において、図９の方法は、前記第１の無線充電モード又は前記第２の無線充電モードで無線充電を行うことをネゴシエーションするように、前記無線充電装置が、前記充電対象機器と通信するステップをさらに含むことができる。
【０１４５】
選択可能には、一部の実施例において、前記第１の無線充電モード又は前記第２の無線充電モードで無線充電を行うことをネゴシエーションするように、前記無線充電装置が、前記充電対象機器と通信するステップは、前記無線充電装置が前記充電対象機器とハンドシェイク通信を行い、前記ハンドシェイク通信が成功された場合、前記第１の無線充電モードで前記充電対象機器を充電するように前記無線充電装置を制御し、前記ハンドシェイク通信が失敗された場合、前記第２の無線充電モードで前記充電対象機器を充電するように前記無線充電装置を制御するステップを含むことができる。
【０１４６】
選択可能には、一部の実施例において、図９の方法は、前記無線充電装置が、前記電池の温度に基づいて、前記第１の無線充電モード又は第２の無線充電モードで前記電池を充電するように前記無線充電装置を制御するステップをさらに含むことができる。
【０１４７】
図１０は、本発明の他の実施例により提供される無線充電方法の概略的なフローチャートである。図１０の方法は、無線充電装置（例えば、上記の無線充電装置２２０）により実行することができる。前記無線充電装置は、充電対象機器を無線充電するように、電磁信号を送信する無線送信回路を含み、
図１０の方法は、
前記無線充電のプロセスにおいて、前記無線送信回路の送信電力が調整されて、前記充電対象機器における無線受信回路の出力電圧及び/又は出力電流が前記充電対象機器における電池の現在の充電段階にマッチングされるように、前記充電対象機器と無線通信するステップ１０１０を含む。
【０１４８】
選択可能には、一部の実施例において、前記無線充電装置は、充電インターフェースをさらに含み、前記無線送信回路は、さらに、前記充電インターフェースを介して電源供給機器の出力電圧及び出力電流を受信し、前記電源供給機器の出力電圧及び出力電流に基づいて、前記電磁信号を生成する。
【０１４９】
選択可能には、一部の実施例において、図１０の方法は、前記電源供給機器の出力電力をネゴシエーションするように、前記電源供給機器と通信するステップをさらに含むことができる。
【０１５０】
選択可能には、一部の実施例において、前記電源供給機器の出力電力をネゴシエーションするように、前記電源供給機器と通信するステップは、前記電源供給機器の最大出力電力をネゴシエーションするように、前記電源供給機器と通信するステップを含むことができる。前記無線送信回路の送信電力が調整されるステップは、前記無線送信回路が、前記電源供給機器の最大出力電力に基づいて、前記充電対象機器を無線充電するプロセスにおいて、前記無線送信回路の送信電力を調整するように、前記無線送信回路が前記最大出力電力から抽出する電力量を調整するステップを含むことができる。
【０１５１】
選択可能には、一部の実施例において、前記無線送信回路の送信電力が調整されるステップは、前記電源供給機器の出力電圧及び/又は出力電流を調整することにより、前記無線送信回路の送信電力を調整するように、前記電源供給機器と通信するステップを含むことができる。
【０１５２】
選択可能には、一部の実施例において、前記無線充電のプロセスにおいて、前記無線送信回路の送信電力を調整するように、前記充電対象機器と無線通信するステップは、前記充電対象機器により送信される、前記無線充電装置に前記電源供給機器の出力電圧及び/又は出力電流を調整するように指示するための調整情報を受信するステップを含むことができる。
【０１５３】
選択可能には、一部の実施例において、前記電池の現在の充電段階は、トリクル充電段階と、定電圧充電段階と、定電流充電段階とのうち、少なくとも一つを含む。
【０１５４】
選択可能には、一部の実施例において、前記無線充電のプロセスにおいて、前記無線送信回路の送信電力が調整されて、前記充電対象機器における無線受信回路の出力電圧及び/又は出力電流が前記電池の現在の充電段階にマッチングされるように、前記充電対象機器と無線通信するステップは、前記電池の定電圧充電段階において、前記無線送信回路の送信電力が調整されて、前記無線受信回路の出力電圧が前記定電圧充電段階に対応する充電電圧にマッチングされるように、前記充電対象機器と無線通信するステップを含むことができる。
【０１５５】
選択可能には、一部の実施例において、前記無線充電のプロセス中に、前記無線送信回路の送信電力が調整されて、前記充電対象機器における無線受信回路の出力電圧及び/又は出力電流が前記電池の現在の充電段階にマッチングされるように、前記充電対象機器と無線通信するステップは、前記電池の定電流充電段階において、前記無線送信回路の送信電力が調整されて、前記無線受信回路の出力電流が前記定電流充電段階に対応する充電電流にマッチングされるように、前記充電対象機器と無線通信するステップを含むことができる。
【０１５６】
選択可能には、一部の実施例において、図１０の方法は、前記充電対象機器により送信される、前記電池の現在の電気量及び/又は現在の電圧を含む電池状態情報を受信し、前記電池状態情報に基づいて、前記無線送信回路の送信電力を調整するステップをさらに含むことができる。
【０１５７】
選択可能には、一部の実施例において、前記無線充電装置と前記充電対象機器との間の通信情報は、前記電池の温度情報と、前記無線受信回路の出力電圧及び/又は出力電流のピーク値又は平均値を示す情報と、過電圧保護又は過電流保護に入る指示情報と、前記無線送信回路と前記無線受信回路との間の電力伝送効率を示すための電力伝送効率情報とのうち、少なくとも一種を含む。
【０１５８】
選択可能には、一部の実施例において、前記通信情報は、前記電力伝送効率情報を含み、図１０の方法は、前記電力伝送効率情報に基づいて、前記無線送信回路の送信電力の調整幅を決定するステップをさらに含むことができる。
【０１５９】
選択可能には、一部の実施例において、前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速い。
【０１６０】
選択可能には、一部の実施例において、図１０の方法は、前記第１の無線充電モード又は前記第２の無線充電モードで無線充電を行うことをネゴシエーションするように、前記充電対象機器と通信するステップをさらに含むことができる。
【０１６１】
選択可能には、一部の実施例において、前記第１の無線充電モード又は前記第２の無線充電モードで無線充電を行うことをネゴシエーションするように、前記充電対象機器と通信するステップは、前記充電対象機器とハンドシェイク通信を行い、前記ハンドシェイク通信が成功された場合、前記第１の無線充電モードで前記充電対象機器を充電するように前記無線充電装置を制御し、前記ハンドシェイク通信が失敗された場合、前記第２の無線充電モードで前記充電対象機器を充電するように前記無線充電装置を制御するステップを含むことができる。
【０１６２】
選択可能には、一部の実施例において、図１０の方法は、前記電池の温度に基づいて、前記第１の無線充電モード又は第２の無線充電モードで前記電池を充電するように前記無線充電装置を制御するステップをさらに含むことができる。
【０１６３】
図１１は、本発明のさらに他の実施例により提供される無線充電方法の概略的なフローチャートである。図１１の方法は、充電対象機器（例えば、上記の充電対象機器２３０）により実行することができる。前記充電対象機器は、電池と、無線充電装置により送信される電磁信号を受信し、前記電磁信号を前記無線受信回路の出力電圧及び出力電流に変換する無線受信回路と、前記無線受信回路の出力電圧及び出力電流を受信し、前記無線受信回路の出力電圧及び出力電流に基づいて、前記電池を充電する第１の充電経路と、前記無線受信回路の出力電圧及び/又は出力電流を検出する検出回路と、を含み、
図１１の方法は、
前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップ１１１０を含む。
【０１６４】
選択可能には、一部の実施例において、前記無線充電装置の送信電力が調整されるように、前記検出回路により検出された前記無線受信回路の出力電圧及び/又は出力電流に基づいて、前記無線充電装置と無線通信するステップは、
前記無線充電装置に、電源供給機器の出力電圧及び/又は出力電流を調整するように前記無線充電装置に指示するための調整情報を送信するステップを含む。
【０１６５】
選択可能には、一部の実施例において、前記電池の現在の充電段階は、トリクル充電段階と、定電圧充電段階と、定電流充電段階とのうち、少なくとも一つを含む。
【０１６６】
選択可能には、一部の実施例において、前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップは、前記電池の定電圧充電段階において、前記無線充電装置の送信電力が調整されて、前記無線受信回路の出力電圧が前記定電圧充電段階に対応する充電電圧にマッチングされるように、前記検出回路により検出された前記無線受信回路の出力電圧及び/又は出力電流に基づいて、前記無線充電装置と無線通信するステップを含むことができる。
【０１６７】
選択可能には、一部の実施例において、前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信するステップは、前記無線充電装置の送信電力が調整されて、前記無線受信回路の出力電流が前記定電流充電段階に対応する充電電流にマッチングされるように、前記電池の定電流充電段階において、前記検出回路により検出された前記無線受信回路の出力電圧及び/又は出力電流に基づいて、前記無線充電装置と無線通信するステップを含むことができる。
【０１６８】
選択可能には、一部の実施例において、図１１の方法は、前記無線充電装置が電池状態情報に基づいて、前記無線送信回路の送信電力を調整するように、前記無線充電装置に、前記充電対象機器における電池の現在の電気量及び/又は現在の電圧を含む前記電池状態情報を送信するステップをさらに含むことができる。
【０１６９】
選択可能には、一部の実施例において、前記充電対象機器と前記無線充電装置との間の通信情報は、前記電池の温度情報と、前記無線受信回路の出力電圧及び/又は出力電流のピーク値又は平均値を示す情報と、過電圧保護又は過電流保護に入る指示情報と、前記無線充電装置と前記無線受信回路との間の電力伝送効率を示すための電力伝送効率情報とのうち、少なくとも一種を含む。
【０１７０】
選択可能には、一部の実施例において、前記充電対象機器は、前記無線受信回路の出力電流を受信して、前記無線受信回路の出力電流を変換し、変換された電流に基づいて、前記電池を充電する変換回路が設置される第２の充電経路をさらに含むことができ、図１１の方法は、前記第１の充電経路と前記第２の充電経路との間の切り替えを制御するステップをさらに含むことができる。
【０１７１】
選択可能には、一部の実施例において、図１１の方法は、前記無線充電装置とハンドシェイク通信を行い、前記ハンドシェイク通信が成功された場合、作動するように前記第１の充電経路を制御し、前記ハンドシェイク通信が失敗された場合、作動するように前記第２の充電経路を制御するステップをさらに含むことができる。
【０１７２】
選択可能には、一部の実施例において、図１１の方法は、前記電池の温度に基づいて、前記第１の充電経路と前記第２の充電経路との間の切り替えを制御するステップをさらに含むことができる。
【０１７３】
選択可能には、一部の実施例において、前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速く、図１１の方法は、前記第１の無線充電モード又は前記第２の無線充電モードで無線充電を行うことをネゴシエーションするように、前記無線充電装置と通信するステップをさらに含むことができる。
【０１７４】
上記実施例において、全部又は部分的にソフトウェア、ハードウェア、ファームウェア又は他の任意の組み合わせにより実現され得る。ソフトウェアで実現される場合、全部又は部分的にコンピュータプログラム製品の形式で実現され得る。前記コンピュータプログラム製品は、一つ又は複数のコンピュータ命令を含む。コンピュータにおいて前記コンピュータプログラム命令をロードし、実行する場合、全部又は部分的に本発明の実施例に記載のプロセス又は機能を生じる。前記コンピュータは、汎用コンピュータ、専用コンピュータ、コンピュータネットワーク、又は他のプログラマブル装置であってもよい。前記コンピュータ命令は、コンピュータ読み取り可能な記憶媒体に記憶されてもよいし、又は一つのコンピュータ読み取り可能な記憶媒体から他のコンピュータ読み取り可能な記憶媒体に伝送されてもよく、例えば、前記コンピュータ命令は、一つのウェブサイト、コンピュータ、サーバ又はデータセンターから、有線（例えば、同軸ケーブル、光ファイバ、デジタル加入者線（ｄｉｇｉｔａｌ ｓｕｂｓｃｒｉｂｅｒ ｌｉｎｅ、ＤＳＬ））又は無線（例えば、赤外線、無線、マイクロ波など）の方式により、他のウェブサイト、コンピュータ、サーバ又はデータセンターに伝送され得る。前記コンピュータ読み取り可能な記憶媒体は、コンピュータがアクセス可能な任意の利用可能な媒体、或いは一つ又は複数の利用可能な媒体が集積されたサーバ、データセンターなどのデータ記憶機器であってもよい。前記利用可能な媒体は、磁性媒体（例えば、フロッピーディスク、ハードディスク、磁気テープ）、光媒体（例えば、ディー・ブイ・ディー（ｄｉｇｉｔａｌ ｖｉｄｅｏ ｄｉｓｃ、ＤＶＤ））、又は半導体媒体（例えば、ソリッドステートドライブ（ｓｏｌｉｄ ｓｔａｔｅ ｄｉｓｋ、ＳＳＤ））などであってもよい。
【０１７５】
当業者は以下のことを意識することができる。本発明に開示されている実施例に説明される各例に合わせたユニット及アルゴリズムステップは、電子ハードウェア、又はコンピュータソフトウェアと電子ハードウェアとの結合によって実現することができる。これらの機能が一体ハードウェア、それともソフトウェアの方式によって実行されるのかは技術案の特定応用及び設計拘束条件によるものである。当業者は、各特定の応用に対して、異なる方法で説明される機能を実現することができるが、このような実現は、本発明の範囲を超えたと考えてはいけない。
【０１７６】
なお、本発明が提供するいくつの実施例において、開示されているシステムと、装置と方法とは、他の方式で実現することができる。例えば、上記装置の実施例は、概略的なものだけである。例えば、前記ユニットの区分は、ロジック機能の区分だけである。実際に実現する時に、他の区分方式を有することができる。例えば、複数のユニット又はコンポーネンは、結合することができる、又は他のシステムに集成することができ、又は一部の特徴を無視することができ、又は実行しないことができる。一方、示された又は論議された相互間の結合又は直接結合又は通信接続は、一部のインタフェースを介して、装置又はユニットの間接結合又は通信接続であっても良く電気的、機械的又は他の形式であっても良い。
【０１７７】
分離部品として説明された前記ユニットは、物理上に分離しても良いし、物理上に分離していなくても良い。ユニットとして示された部品は、物理的なユニットであっても良いし、物理的なユニットでなくても良い。即ち、一つの場所にあっても良いし、又は複数のネットワークユニットに分布されても良い。必要に応じて、そのうちの一部又は全部のユニットを選択して本実施例の技術案の目的を実現することができる。
【０１７８】
また、本発明の各実施例における各機能ユニットは、一つの処理ユニットに集成されても良いし、各ユニットが別々に物理的に存在しても良いし、２つ又は２つ以上のユニットは一つのユニットに集成されても良い。
【０１７９】
以上は単に本発明の具体的な実施形態であり、本出願の保護範囲は、これに限定されない。当業者であれば、本出願が披露した技術範囲内において、変化又は取り替えを容易に想到することができ、いずれも本出願の保護範囲内に含まれるべきである。したがって、本出願の保護範囲は、記載される特許請求の範囲に準ずるべきである。
【図１】
2019531685.tif 000003
【図２】
2019531685.tif 000004
【図３】
2019531685.tif 000005
【図４】
2019531685.tif 000006
【図５】
2019531685.tif 000007
【図６】
2019531685.tif 000008
【図７】
2019531685.tif 000009
【図８】
2019531685.tif 000010
【図９】
2019531685.tif 000011
【図１０】
2019531685.tif 000012
【図１１】
2019531685.tif 000013
【手続補正書】
【提出日】平成31年3月15日(2019.3.15)
【手続補正１】
【補正対象書類名】明細書
【補正対象項目名】００５９
【補正方法】変更
【補正の内容】
【００５９】
本発明の実施例の上記説明は、無線充電装置２２０（無線充電装置２２０における第１の通信制御回路２２２）と充電対象機器２３０（充電対象機器２３０における第２の通信制御回路２３５）とのマスタースレーブについて限定しない。言い換えれば、無線充電装置２２０と充電対象機器２３０とのうち、いずれもマスター機器側として双方向通信セッションを開始することができ、相応的に、他方がスレーブ機器側としてマスター機器側が開始する通信に対して第１応答又は第１返信を出す。一種の実行可能な方式として、通信プロセスにおいて、無線充電装置２２０と充電対象機器２３０とのリンク状況を比較することにより、マスター及びスレーブ機器の身分を確認することができる。例えば、無線充電装置２２０が充電対象機器２３０に情報を送信する無線リンクがアップリンクであると想定すると、充電対象機器２３０が無線充電装置２２０に情報を送信する無線リンクがダウンリンクである。アップリンクのリンク品質が比較的良い場合、無線充電装置２２０を通信のマスター機器として設定することができ、ダウンリンクのリンク品質が比較的良い場合、充電対象機器２３０を通信のスレーブ機器として設定することができる。
【手続補正２】
【補正対象書類名】特許請求の範囲
【補正対象項目名】全文
【補正方法】変更
【補正の内容】
【特許請求の範囲】
【請求項１】
充電対象機器を無線充電するように、電磁信号を送信する無線送信回路と、
前記無線充電のプロセスにおいて、前記無線送信回路の送信電力が調整されて、前記充電対象機器における無線受信回路の出力電圧及び/又は出力電流が前記充電対象機器における電池の現在の充電段階にマッチングされるように、前記充電対象機器と無線通信する通信制御回路と、を含む、
ことを特徴とする無線充電装置。
【請求項２】
前記無線充電装置は、
充電インターフェースをさらに含み、
前記無線送信回路は、さらに、前記充電インターフェースを介して電源供給機器の出力電圧及び出力電流を受信し、前記電源供給機器の出力電圧及び出力電流に基づいて、前記電磁信号を生成する、
ことを特徴とする請求項１に記載の無線充電装置。
【請求項３】
前記通信制御回路が、
前記電源供給機器と通信して前記電源供給機器の最大出力電力をネゴシエーションし、
前記無線送信回路が前記電源供給機器の最大出力電力に基づいて、前記充電対象機器を無線充電するプロセスにおいて、前記無線送信回路の送信電力を調整するように、前記無線送信回路が前記最大出力電力から抽出する電力量を調整するように構成される、
ことを特徴とする請求項２に記載の無線充電装置。
【請求項４】
前記通信制御回路が、
前記電源供給機器の出力電圧及び/又は出力電流を調整することにより、前記無線送信回路の送信電力を調整するように、前記電源供給機器と通信するように構成される、
ことを特徴とする請求項２に記載の無線充電装置。
【請求項５】
前記通信制御回路が、
前記充電対象機器により送信される、前記通信制御回路に前記電源供給機器の出力電圧及び/又は出力電流を調整するように指示するための調整情報を受信するように構成される、
ことを特徴とする請求項４に記載の無線充電装置。
【請求項６】
前記通信制御回路が、
前記電源供給機器と通信して前記電源供給機器の出力電力をネゴシエーションするように構成され、
前記通信制御回路と前記電源供給機器との間の通信が双方向通信である、
ことを特徴とする請求項２に記載の無線充電装置。
【請求項７】
前記通信制御回路が、
前記電池の定電圧充電段階において、前記無線送信回路の送信電力が調整されて、前記無線受信回路の出力電圧が前記定電圧充電段階に対応する充電電圧にマッチングされるように、前記充電対象機器と無線通信し、
前記電池の定電流充電段階において、前記無線送信回路の送信電力が調整されて、前記無線受信回路の出力電流が前記定電流充電段階に対応する充電電流にマッチングされるように、前記充電対象機器と無線通信するように構成される、
ことを特徴とする請求項１に記載の無線充電装置。
【請求項８】
前記無線送信回路が、
外部から入力される交流を受信し、前記交流に基づいて前記電磁信号を生成し、
前記充電対象機器により送信される、前記電池の現在の電気量及び/又は現在の電圧を含む電池状態情報を受信し、前記電池状態情報に基づいて、前記無線送信回路の送信電力を調整するように構成され、
前記通信制御回路と前記充電対象機器との間の無線通信は、無線双方向通信であり、前記通信制御回路と前記充電対象機器とは、ブルートゥース、Ｗｉ-Ｆｉ又は後方散乱変調方式により無線通信する、
ことを特徴とする請求項１に記載の無線充電装置。
【請求項９】
前記通信制御回路と前記充電対象機器との間の通信情報は、
前記電池の温度情報と、
前記無線受信回路の出力電圧及び/又は出力電流のピーク値又は平均値を示す情報と、
過電圧保護又は過電流保護に入る指示情報と、
前記無線送信回路と前記無線受信回路との間の電力伝送効率を示すための電力伝送効率情報とのうち、少なくとも一種を含み、
前記通信情報は、前記電力伝送効率情報を含み、
前記通信制御回路が、
前記電力伝送効率情報に基づいて、前記無線送信回路の送信電力の調整幅を決定するように構成される、
ことを特徴とする請求項１に記載の無線充電装置。
【請求項１０】
前記無線充電装置は、第１の無線充電モード及び第２の無線充電モードをサポートし、前記無線充電装置が前記第１の無線充電モードで前記充電対象機器への充電速度は、前記無線充電装置が前記第２の無線充電モードで前記充電対象機器への充電速度より速く、
前記通信制御回路が、
前記充電対象機器と通信して、前記第１の無線充電モード又は前記第２の無線充電モードで無線充電を行うことをネゴシエーションするように構成される、
ことを特徴とする請求項１に記載の無線充電装置。
【請求項１１】
電池と、
無線充電装置により送信される電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、
前記無線充電装置の送信電力が調整されて、前記無線受信回路の出力電圧及び/又は出力電流が前記電池の現在の充電段階にマッチングされるように、前記検出回路により検出された前記無線受信回路の出力電圧及び/又は出力電流に基づいて、前記無線充電装置と無線通信する通信制御回路と、を含む、
ことを特徴とする充電対象機器。
【請求項１２】
前記充電対象機器は、
前記無線受信回路の出力電流を受信して、前記無線受信回路の出力電流を変換し、変換された電流に基づいて、前記電池を充電する変換回路が設置される第２の充電経路をさらに含み、
前記通信制御回路は、さらに、前記第１の充電経路と前記第２の充電経路との間の切り替えを制御する、
ことを特徴とする請求項１１に記載の充電対象機器。
【請求項１３】
前記通信制御回路が、
前記無線充電装置とハンドシェイク通信を行い、前記ハンドシェイク通信が成功された場合、作動するように前記第１の充電経路を制御し、前記ハンドシェイク通信が失敗された場合、作動するように前記第２の充電経路を制御するように構成される、
ことを特徴とする請求項１２に記載の充電対象機器。
【請求項１４】
前記無線受信回路の出力電流が、脈動直流であり、
前記検出回路は、
サンプリング状態にある場合、前記脈動直流をサンプリングし、保持状態にある場合、前記脈動直流の電流のピーク値を保持するサンプリング保持回路を含み、
前記第２の通信制御回路は、さらに、前記サンプリング保持回路が保持状態にあるか否かを判断し、前記サンプリング保持回路が前記保持状態にあると判断された場合、前記サンプリング保持回路が保持している前記脈動直流の電流のピーク値を収集し、
前記サンプリング保持回路は、コンデンサを含み、前記サンプリング保持回路は、前記サンプリング保持回路におけるコンデンサにより前記脈動直流の電流のピーク値を保持し、
前記検出回路は、放電回路をさらに含み、前記第２の通信制御回路は、さらに、前記サンプリング保持回路が保持状態からサンプリング状態へ変換されるように、前記放電回路により前記サンプリング保持回路におけるコンデンサ両端の電荷を放出する、
ことを特徴とする請求項１１に記載の充電対象機器。
【請求項１５】
無線充電システムに適用される無線充電方法であって、前記無線充電システムは、無線充電装置と、充電対象機器と、を含み、
前記無線充電装置は、
前記充電対象機器を無線充電するように、電磁信号を送信する無線送信回路を含み、
前記充電対象機器は、
電池と、
前記電磁信号を受信し、前記電磁信号を前記無線受信回路の出力電圧及び出力電流に変換する無線受信回路と、
前記無線受信回路の出力電圧及び出力電流を受信し、前記無線受信回路の出力電圧及び出力電流に基づいて、前記電池を充電する第１の充電経路と、
前記無線受信回路の出力電圧及び/又は出力電流を検出する検出回路と、を含み、
前記無線充電方法は、
前記無線送信回路の送信電力が前記無線充電装置により調整されて、前記無線受信回路の出力電圧及び/又は出力電流が前記電池の現在の充電段階にマッチングされるように、前記充電対象機器が、前記検出回路により検出された前記無線受信回路の出力電圧及び/又は出力電流に基づいて、前記無線充電装置と無線通信するステップを含む、
ことを特徴とする無線充電方法。 
【国際調査報告】
2019531685.tif 000014
2019531685.tif 000015
2019531685.tif 000016
2019531685.tif 000017